(57)【要約】  いくつかの実施形態によれば、サービングセルの追加または解放を実施するためのワイヤレスデバイスによる方法は、時間リソースにおいて第１のダウンリンクメッセージを受信することを含む。ワイヤレスデバイスは、第１のキャリア上の少なくとも第１のサービングセルにおいて動作するように設定されており、第１のダウンリンクメッセージは、第２のキャリア上の第２のサービングセルが追加または解放されることを要求する。第１のダウンリンクメッセージに応答して、第２のキャリア上の第２のサービングセルは追加または解放される。時間リソースから開始する時間期間内に、ワイヤレスデバイスは、第２のサービングセル上で、第２のサービングセルの追加または解放の完了を示す第１のアップリンクメッセージを送信する。時間リソースから開始する時間期間は、クリアチャネルアセスメント（ＣＣＡ）プロシージャに関係する少なくとも１つのパラメータの関数である長さのものである。【選択図】図６
2019518360.tif 000002
【特許請求の範囲】
【請求項１】
サービングセルの追加または解放を実施するためのワイヤレスデバイス（１２）による方法であって、
ネットワークノード（１０）から、ある時間リソースにおいて第１のダウンリンクメッセージを受信することであって、前記ワイヤレスデバイス（１２）が、第１のキャリア上の少なくとも第１のサービングセルにおいて動作するように設定されており、前記第１のダウンリンクメッセージは、第２のキャリア上の第２のサービングセルが追加または解放されることを要求する、受信することと、
前記第１のダウンリンクメッセージに応答して、前記第２のキャリア上の前記第２のサービングセルを追加または解放することと、
前記時間リソースから開始する時間期間内に、前記第２のサービングセルの前記追加または解放の完了を示す第１のアップリンクメッセージを送信することであって、前記第１のアップリンクメッセージが前記第２のサービングセル上で送信される、送信することと
を含み、
前記時間リソースから開始する前記時間期間が、前記時間期間の間に前記第２のサービングセル上で前記ワイヤレスデバイスによって実施されるクリアチャネルアセスメント（ＣＣＡ）プロシージャに関係する少なくとも１つのパラメータの関数である長さのものである、
方法。
【請求項２】
前記ＣＣＡプロシージャに関係する少なくとも１つのパラメータが、
アップリンクＬＢＴプロシージャに関係する第１のパラメータと、
ダウンリンクＬＢＴプロシージャに関係する第１のパラメータと、
アップリンクＬＢＴプロシージャに関係する第１のパラメータ、およびダウンリンクＬＢＴプロシージャに関係する第２のパラメータと
からなるグループから選択される、請求項１に記載の方法。
【請求項３】
前記第１のキャリアが第１の周波数に関連し、
前記第２のキャリアが第２の周波数に関連し、
前記第１の周波数および前記第２の周波数のうちの少なくとも１つが、未ライセンススペクトル中にある、
請求項１から２のいずれか一項に記載の方法。
【請求項４】
前記第２の周波数が前記第１の周波数とは異なる、請求項３に記載の方法。
【請求項５】
前記第１のサービングセルおよび前記第２のサービングセルが、プライマリタイミングアドバンスグループ（ｐＴＡＧ）に割り当てられる、請求項１から４のいずれか一項に記載の方法。
【請求項６】
前記第１のサービングセルがｐＴＡＧに割り当てられ、
前記第２のサービングセルがセカンダリタイミングアドバンスグループ（ｓＴＡＧ）に割り当てられる、
請求項１から４のいずれか一項に記載の方法。
【請求項７】
前記ＣＣＡプロシージャに関係する前記少なくとも１つのパラメータは、
リッスンビフォアトーク（ＬＢＴ）プロシージャが、前記時間期間の間に前記第２のサービングセル上で失敗する回数と、
前記ワイヤレスデバイスが、前記時間期間の間の前記第２のサービングセル上のＬＢＴ失敗により、前記第２のサービングセル上で前記第１のアップリンクメッセージを送信することができない回数と、
ＬＢＴ失敗の確率と、
前記ＬＢＴプロシージャの周期性と、
成功したＬＢＴプロシージャの後のチャネル保持時間、または最大チャネル保持時間と、
チャネルアクセスの公平性と
からなるグループから選択される、請求項１から６のいずれか一項に記載の方法。
【請求項８】
前記ＣＣＡプロシージャに関係する前記少なくとも１つのパラメータは、
前記ワイヤレスデバイスが、前記第２のサービングセル上で前記第１のアップリンクメッセージを送ることができる時間リソースの発生の周期性と、
前記ワイヤレスデバイスが、前記第１のサービングセルおよび前記第２のサービングセルにおいて動作するように設定されるダウンリンクにおける時間リソースの発生の周期性と、
前記第２のサービングセル上で第２のアップリンクメッセージを送るための第１の利用可能なオケージョンを収集することにおける遅延不確実性であって、前記第２のアップリンクメッセージが、前記第２のサービングセルの前記追加または解放の完了を示す、遅延不確実性と、
前記ワイヤレスデバイスが、前記第２のサービングセルを追加または解放するための１つまたは複数の信号を使用するダウンリンクにおける時間リソースの発生の周期性と、
タイミングアドバンスグループ（ＴＡＧ）のための有効なタイミングアドバンス（ＴＡ）コマンドを取得するための遅延と、
前記第２のサービングセル上での前記第１のアップリンクメッセージの送信のための受信されたＴＡコマンドを適用するための遅延と、
前記ワイヤレスデバイスが、前記第２のサービングセル上のアップリンクＬＢＴ失敗により、前記第２のサービングセル上で前記第２のアップリンクメッセージを送信することができない回数と、
前記ワイヤレスデバイスの実装マージンと、
前記第２のアップリンクメッセージを送信するためのオケージョンの周期性と、
前記ワイヤレスデバイスが、前記第２のサービングセル上のＤＬ  ＬＢＴ失敗により、前記第２のサービングセル上で第２のダウンリンク送信メッセージを受信することができない回数と、
前記第２のサービングセルが、前記第２のサービングセルのためのＴＡコマンドを送ることができるオケージョンまたは時間リソースの周期性と、
前記第２のサービングセルの追加または解放のために使用される発見信号オケージョンの持続時間と、
前記第２のサービングセルの追加または解放のために使用される複数の発見信号の発生の周期性と、
前記第１のサービングセルおよび前記第２のサービングセル以外の少なくとも１つのサービングセルが、前記時間期間の間に追加または解放されることを要求される回数と、
前記第２のサービングセルを追加または解放するための中断持続時間と
のうちの少なくとも１つを含む、請求項１から７のいずれか一項に記載の方法。
【請求項９】
前記第２のキャリア上の前記第２のサービングセルを前記追加または解放することが、
前記第２のサービングセルを追加することと、
前記第２のサービングセルを設定することと、
前記第２のサービングセルをアクティブ化することと
からなるグループから選択された少なくとも１つの動作を含む、請求項１から８のいずれか一項に記載の方法。
【請求項１０】
前記第２のキャリア上の前記第２のサービングセルを前記追加または解放することが、
前記第２のサービングセルを解放することと、
前記第２のサービングセルを設定解除することと、
前記第２のサービングセルをアクティブ化解除することと
からなるグループから選択された少なくとも１つの動作を含む、請求項１から９のいずれか一項に記載の方法。
【請求項１１】
前記第２のサービングセルが、
セカンダリセル（ＳＣｅｌｌ）と、
プライマリセカンダリセル（ＰＳＣｅｌｌ）と
からなるグループから選択される、請求項１から１０のいずれか一項に記載の方法。
【請求項１２】
サービングセルの追加または解放を実施するためのワイヤレスデバイス（１２）であって、
ネットワークノード（１０）から、ある時間リソースにおいて第１のダウンリンクメッセージを受信することであって、前記ワイヤレスデバイス（１２）が、第１のキャリア上の少なくとも第１のサービングセルにおいて動作するように設定されており、前記第１のダウンリンクメッセージは、第２のキャリア上の第２のサービングセルが追加または解放されることを要求する、受信することと、
前記第１のダウンリンクメッセージに応答して、前記第２のキャリア上の前記第２のサービングセルを追加または解放することと、
前記時間リソースから開始する時間期間内に、前記第２のサービングセルの前記追加または解放の完了を示す第１のアップリンクメッセージを送信することであって、前記第１のアップリンクメッセージが前記第２のサービングセル上で送信される、送信することと
を行うように設定された処理回路
を備え、
前記時間リソースから開始する前記時間期間が、前記時間期間の間に前記第２のサービングセル上で前記ワイヤレスデバイスによって実施されるクリアチャネルアセスメント（ＣＣＡ）プロシージャに関係する少なくとも１つのパラメータの関数である長さのものである、
ワイヤレスデバイス（１２）。
【請求項１３】
前記ＣＣＡプロシージャに関係する少なくとも１つのパラメータが、
アップリンクＬＢＴプロシージャに関係する第１のパラメータと、
ダウンリンクＬＢＴプロシージャに関係する第１のパラメータと、
アップリンクＬＢＴプロシージャに関係する第１のパラメータ、およびダウンリンクＬＢＴプロシージャに関係する第２のパラメータと
からなるグループから選択される、請求項１２に記載のワイヤレスデバイス（１２）。
【請求項１４】
前記第１のキャリアが第１の周波数に関連し、
前記第２のキャリアが第２の周波数に関連し、
前記第１の周波数および前記第２の周波数のうちの少なくとも１つが、未ライセンススペクトル中にある、
請求項１２から１３のいずれか一項に記載のワイヤレスデバイス（１２）。
【請求項１５】
前記第２の周波数が前記第１の周波数とは異なる、請求項１４に記載のワイヤレスデバイス（１２）。
【請求項１６】
前記第１のサービングセルおよび前記第２のサービングセルが、プライマリタイミングアドバンスグループ（ｐＴＡＧ）に割り当てられる、請求項１２から１５のいずれか一項に記載のワイヤレスデバイス（１２）。
【請求項１７】
前記第１のサービングセルがｐＴＡＧに割り当てられ、
前記第２のサービングセルがセカンダリタイミングアドバンスグループ（ｓＴＡＧ）に割り当てられる、
請求項１２から１５のいずれか一項に記載のワイヤレスデバイス（１２）。
【請求項１８】
前記ＣＣＡプロシージャに関係する前記少なくとも１つのパラメータは、
リッスンビフォアトーク（ＬＢＴ）プロシージャが、前記時間期間の間に前記第２のサービングセル上で失敗する回数と、
前記ワイヤレスデバイスが、前記時間期間の間の前記第２のサービングセル上のＬＢＴ失敗により、前記第２のサービングセル上で前記第１のアップリンクメッセージを送信することができない回数と、
ＬＢＴ失敗の確率と、
前記ＬＢＴプロシージャの周期性と、
成功したＬＢＴプロシージャの後のチャネル保持時間、または最大チャネル保持時間と、
チャネルアクセスの公平性と
からなるグループから選択される、請求項１２から１７のいずれか一項に記載のワイヤレスデバイス（１２）。
【請求項１９】
前記ＣＣＡプロシージャに関係する前記少なくとも１つのパラメータは、
前記ワイヤレスデバイスが、前記第２のサービングセル上で前記第１のアップリンクメッセージを送ることができる時間リソースの発生の周期性と、
前記ワイヤレスデバイスが、前記第１のサービングセルおよび前記第２のサービングセルにおいて動作するように設定されるダウンリンクにおける時間リソースの発生の周期性と、
前記第２のサービングセル上で第２のアップリンクメッセージを送るための第１の利用可能なオケージョンを収集することにおける遅延不確実性であって、前記第２のアップリンクメッセージが、前記第２のサービングセルの前記追加または解放の完了を示す、遅延不確実性と、
前記ワイヤレスデバイスが、前記第２のサービングセルを追加または解放するための１つまたは複数の信号を使用するダウンリンクにおける時間リソースの発生の周期性と、
タイミングアドバンスグループ（ＴＡＧ）のための有効なタイミングアドバンス（ＴＡ）コマンドを取得するための遅延と、
前記第２のサービングセル上での前記第１のアップリンクメッセージの送信のための受信されたＴＡコマンドを適用するための遅延と、
前記ワイヤレスデバイスが、前記第２のサービングセル上のアップリンクＬＢＴ失敗により、前記第２のサービングセル上で前記第２のアップリンクメッセージを送信することができない回数と、
前記ワイヤレスデバイスの実装マージンと、
前記第２のアップリンクメッセージを送信するためのオケージョンの周期性と、
前記ワイヤレスデバイスが、前記第２のサービングセル上のＤＬ  ＬＢＴ失敗により、前記第２のサービングセル上で第２のダウンリンク送信メッセージを受信することができない回数と、
前記第２のサービングセルが、前記第２のサービングセルのためのＴＡコマンドを送ることができるオケージョンまたは時間リソースの周期性と、
前記第２のサービングセルの追加または解放のために使用される発見信号オケージョンの持続時間と、
前記第２のサービングセルの追加または解放のために使用される複数の発見信号の発生の周期性と、
前記第１のサービングセルおよび前記第２のサービングセル以外の少なくとも１つのサービングセルが、前記時間期間の間に追加または解放されることを要求される回数と、
前記第２のサービングセルを追加または解放するための中断持続時間と
のうちの少なくとも１つを含む、請求項１２から１８のいずれか一項に記載のワイヤレスデバイス（１２）。
【請求項２０】
前記第２のキャリア上の前記第２のサービングセルを前記追加または解放することが、
前記第２のサービングセルを追加することと、
前記第２のサービングセルを設定することと、
前記第２のサービングセルをアクティブ化することと
からなるグループから選択された少なくとも１つの動作を含む、請求項１２から１９のいずれか一項に記載のワイヤレスデバイス（１２）。
【請求項２１】
前記第２のキャリア上の前記第２のサービングセルを前記追加または解放することが、
前記第２のサービングセルを解放することと、
前記第２のサービングセルを設定解除することと、
前記第２のサービングセルをアクティブ化解除することと
からなるグループから選択された少なくとも１つの動作を含む、請求項１２から２０のいずれか一項に記載のワイヤレスデバイス（１２）。
【請求項２２】
前記第２のサービングセルが、
セカンダリセル（ＳＣｅｌｌ）と、
プライマリセカンダリセル（ＰＳＣｅｌｌ）と
からなるグループから選択される、請求項１２から２０のいずれか一項に記載のワイヤレスデバイス（１２）。
【請求項２３】
サービングセルの追加または解放を実施するためのネットワークノード（１０）による方法であって、
ワイヤレスデバイス（１２）に、ある時間リソースにおいて第１のダウンリンクメッセージを送信することであって、前記ワイヤレスデバイス（１２）が、第１のキャリア上の少なくとも第１のサービングセルにおいて動作するように設定されており、前記第１のダウンリンクメッセージは、前記ワイヤレスデバイスが、第２のキャリア上の第２のサービングセルを追加または解放することを要求する、送信することと、
前記時間リソースから開始する時間期間内に、前記ワイヤレスデバイス（１２）から、前記第２のサービングセルの前記追加または解放の完了を示す第１のアップリンクメッセージを受信することであって、前記第１のアップリンクメッセージが前記第２のサービングセル上で送信される、受信することと、
前記第１のアップリンクメッセージに基づいて少なくとも１つの動作タスクを実施することと
を含み、
前記時間リソースから開始する前記時間期間が、前記時間期間の間に前記第２のサービングセル上で前記ワイヤレスデバイスによって実施されるクリアチャネルアセスメント（ＣＣＡ）プロシージャに関係する少なくとも１つのパラメータの関数である長さのものである、
方法。
【請求項２４】
前記ＣＣＡプロシージャに関係する少なくとも１つのパラメータが、
アップリンクＬＢＴプロシージャに関係する第１のパラメータと、
ダウンリンクＬＢＴプロシージャに関係する第１のパラメータと、
アップリンクＬＢＴプロシージャに関係する第１のパラメータ、およびダウンリンクＬＢＴプロシージャに関係する第２のパラメータと
からなるグループから選択される、請求項２３に記載の方法。
【請求項２５】
前記第１のキャリアが第１の周波数に関連し、
前記第２のキャリアが第２の周波数に関連し、
前記第１の周波数および前記第２の周波数のうちの少なくとも１つが、未ライセンススペクトル中にある、
請求項２３から２４のいずれか一項に記載の方法。
【請求項２６】
前記第２の周波数が前記第１の周波数とは異なる、請求項２５に記載の方法。
【請求項２７】
前記第１のサービングセルおよび前記第２のサービングセルが、プライマリタイミングアドバンスグループ（ｐＴＡＧ）に割り当てられる、請求項２３から２６のいずれか一項に記載の方法。
【請求項２８】
前記第１のサービングセルがｐＴＡＧに割り当てられ、
前記第２のサービングセルがセカンダリタイミングアドバンスグループ（ｓＴＡＧ）に割り当てられる、
請求項２３から２６のいずれか一項に記載の方法。
【請求項２９】
前記ＣＣＡプロシージャに関係する前記少なくとも１つのパラメータは、
リッスンビフォアトーク（ＬＢＴ）プロシージャが、前記時間期間の間に前記第２のサービングセル上で失敗する回数と、
前記ワイヤレスデバイスが、前記時間期間の間の前記第２のサービングセル上のＬＢＴ失敗により、前記第２のサービングセル上で前記第１のアップリンクメッセージを送信することができない回数と、
ＬＢＴ失敗の確率と、
前記ＬＢＴプロシージャの周期性と、
成功したＬＢＴプロシージャの後のチャネル保持時間、または最大チャネル保持時間と、
チャネルアクセスの公平性と
からなるグループから選択される、請求項２３から２８のいずれか一項に記載の方法。
【請求項３０】
前記ＣＣＡプロシージャに関係する前記少なくとも１つのパラメータは、
前記ワイヤレスデバイスが、前記第２のサービングセル上で前記第１のアップリンクメッセージを送ることができる時間リソースの発生の周期性と、
前記ワイヤレスデバイスが、前記第１のサービングセルおよび前記第２のサービングセルにおいて動作するように設定されるダウンリンクにおける時間リソースの発生の周期性と、
前記第２のサービングセル上で第２のアップリンクメッセージを送るための第１の利用可能なオケージョンを収集することにおける遅延不確実性であって、前記第２のアップリンクメッセージが、前記第２のサービングセルの前記追加または解放の完了を示す、遅延不確実性と、
前記ワイヤレスデバイスが、前記第２のサービングセルを追加または解放するための１つまたは複数の信号を使用するダウンリンクにおける時間リソースの発生の周期性と、
タイミングアドバンスグループ（ＴＡＧ）のための有効なタイミングアドバンス（ＴＡ）コマンドを取得するための遅延と、
前記第２のサービングセル上での前記第１のアップリンクメッセージの送信のための受信されたＴＡコマンドを適用するための遅延と、
前記ワイヤレスデバイスが、前記第２のサービングセル上のアップリンクＬＢＴ失敗により、前記第２のサービングセル上で前記第２のアップリンクメッセージを送信することができない回数と、
前記ワイヤレスデバイスの実装マージンと、
前記第２のアップリンクメッセージを送信するためのオケージョンの周期性と、
前記ワイヤレスデバイスが、前記第２のサービングセル上のＤＬ  ＬＢＴ失敗により、前記第２のサービングセル上で第２のダウンリンク送信メッセージを受信することができない回数と、
前記第２のサービングセルが、前記第２のサービングセルのためのＴＡコマンドを送ることができるオケージョンまたは時間リソースの周期性と、
前記第２のサービングセルの追加または解放のために使用される発見信号オケージョンの持続時間と、
前記第２のサービングセルの追加または解放のために使用される複数の発見信号の発生の周期性と、
前記第１のサービングセルおよび前記第２のサービングセル以外の少なくとも１つのサービングセルが、前記時間期間の間に追加または解放されることを要求される回数と、
前記第２のサービングセルを追加または解放するための中断持続時間と
のうちの少なくとも１つを含む、請求項２３から２８のいずれか一項に記載の方法。
【請求項３１】
前記少なくとも１つの動作タスクは、
前記第２のサービングセルにおけるアップリンクまたはダウンリンク上で前記ワイヤレスデバイスをスケジュールすることと、
前記ワイヤレスデバイスが、アップリンク送信およびダウンリンク送信のうちの少なくとも１つを実施することを可能にするために、前記ワイヤレスデバイスにスケジューリンググラントを送ることと、
第１のアップリンク送信に関する情報を別のネットワークノードに送信することと、
前記ワイヤレスデバイスのキャリアアグリゲーション設定を制御することと、
前記ワイヤレスデバイスの送信電力を制御することと、
前記ワイヤレスデバイスにおけるアップリンクタイミングを制御することと、
サービングセル変更を実施することと、
前記ワイヤレスデバイスの測定設定または再設定を実施することと、
前記ワイヤレスデバイスの測位関係設定または再設定を実施することと
を含む、請求項２３から３０のいずれか一項に記載の方法。
【請求項３２】
前記第２のキャリア上の前記第２のサービングセルを前記追加または解放することが、
前記第２のサービングセルを追加することと、
前記第２のサービングセルを設定することと、
前記第２のサービングセルをアクティブ化することと
からなるグループから選択された少なくとも１つの動作を含む、請求項２３から３１のいずれか一項に記載の方法。
【請求項３３】
前記第２のキャリア上の前記第２のサービングセルを前記追加または解放することが、
前記第２のサービングセルを解放することと、
前記第２のサービングセルを設定解除することと、
前記第２のサービングセルをアクティブ化解除することと
からなるグループから選択された少なくとも１つの動作を含む、請求項２３から３１のいずれか一項に記載の方法。
【請求項３４】
前記第２のサービングセルが、
セカンダリセル（ＳＣｅｌｌ）と、
プライマリセカンダリセル（ＰＳＣｅｌｌ）と
からなるグループから選択される、請求項２３から３３のいずれか一項に記載の方法。
【請求項３５】
サービングセルの追加または解放を実施するためのネットワークノード（１０）であって、
ワイヤレスデバイス（１２）に、ある時間リソースにおいて第１のダウンリンクメッセージを送信することであって、前記ワイヤレスデバイス（１２）が、第１のキャリア上の少なくとも第１のサービングセルにおいて動作するように設定されており、前記第１のダウンリンクメッセージは、前記ワイヤレスデバイスが、第２のキャリア上の第２のサービングセルを追加または解放することを要求する、送信することと、
前記時間リソースから開始する時間期間内に、前記ワイヤレスデバイス（１２）から、前記第２のサービングセルの前記追加または解放の完了を示す第１のアップリンクメッセージを受信することであって、前記第１のアップリンクメッセージが前記第２のサービングセル上で送信される、受信することと、
前記第１のアップリンクメッセージに基づいて少なくとも１つの動作タスクを実施することと
を行うように設定された処理回路
を備え、
前記時間リソースから開始する前記時間期間が、前記時間期間の間に前記第２のサービングセル上で前記ワイヤレスデバイスによって実施されるクリアチャネルアセスメント（ＣＣＡ）プロシージャに関係する少なくとも１つのパラメータの関数である長さのものである、
ネットワークノード（１０）。
【請求項３６】
前記ＣＣＡプロシージャに関係する少なくとも１つのパラメータが、
アップリンクＬＢＴプロシージャに関係する第１のパラメータと、
ダウンリンクＬＢＴプロシージャに関係する第１のパラメータと、
アップリンクＬＢＴプロシージャに関係する第１のパラメータ、およびダウンリンクＬＢＴプロシージャに関係する第２のパラメータと
からなるグループから選択される、請求項３５に記載のネットワークノード（１０）。
【請求項３７】
前記第１のキャリアが第１の周波数に関連し、
前記第２のキャリアが第２の周波数に関連し、
前記第１の周波数および前記第２の周波数のうちの少なくとも１つが、未ライセンススペクトル中にある、
請求項３５から３６のいずれか一項に記載のネットワークノード（１０）。
【請求項３８】
前記第２の周波数が前記第１の周波数とは異なる、請求項３７に記載のネットワークノード（１０）。
【請求項３９】
前記第１のサービングセルおよび前記第２のサービングセルが、プライマリタイミングアドバンスグループ（ｐＴＡＧ）に割り当てられる、請求項３５から３８のいずれか一項に記載のネットワークノード（１０）。
【請求項４０】
前記第１のサービングセルがｐＴＡＧに割り当てられ、
前記第２のサービングセルがセカンダリタイミングアドバンスグループ（ｓＴＡＧ）に割り当てられる、
請求項３５から３８のいずれか一項に記載のネットワークノード（１０）。
【請求項４１】
前記ＣＣＡプロシージャに関係する前記少なくとも１つのパラメータは、
リッスンビフォアトーク（ＬＢＴ）プロシージャが、前記時間期間の間に前記第２のサービングセル上で失敗する回数と、
前記ワイヤレスデバイスが、前記時間期間の間の前記第２のサービングセル上のＬＢＴ失敗により、前記第２のサービングセル上で前記第１のアップリンクメッセージを送信することができない回数と、
ＬＢＴ失敗の確率と、
前記ＬＢＴプロシージャの周期性と、
成功したＬＢＴプロシージャの後のチャネル保持時間、または最大チャネル保持時間と、
チャネルアクセスの公平性と
からなるグループから選択される、請求項３５から４０のいずれか一項に記載のネットワークノード（１０）。
【請求項４２】
前記ＣＣＡプロシージャに関係する前記少なくとも１つのパラメータは、
前記ワイヤレスデバイスが、前記第２のサービングセル上で前記第１のアップリンクメッセージを送ることができる時間リソースの発生の周期性と、
前記ワイヤレスデバイスが、前記第１のサービングセルおよび前記第２のサービングセルにおいて動作するように設定されるダウンリンクにおける時間リソースの発生の周期性と、
前記第２のサービングセル上で第２のアップリンクメッセージを送るための第１の利用可能なオケージョンを収集することにおける遅延不確実性であって、前記第２のアップリンクメッセージが、前記第２のサービングセルの前記追加または解放の完了を示す、遅延不確実性と、
前記ワイヤレスデバイスが、前記第２のサービングセルを追加または解放するための１つまたは複数の信号を使用するダウンリンクにおける時間リソースの発生の周期性と、
タイミングアドバンスグループ（ＴＡＧ）のための有効なタイミングアドバンス（ＴＡ）コマンドを取得するための遅延と、
前記第２のサービングセル上での前記第１のアップリンクメッセージの送信のための受信されたＴＡコマンドを適用するための遅延と、
前記ワイヤレスデバイスが、前記第２のサービングセル上のアップリンクＬＢＴ失敗により、前記第２のサービングセル上で前記第２のアップリンクメッセージを送信することができない回数と、
前記ワイヤレスデバイスの実装マージンと、
前記第２のアップリンクメッセージを送信するためのオケージョンの周期性と、
前記ワイヤレスデバイスが、前記第２のサービングセル上のＤＬ  ＬＢＴ失敗により、前記第２のサービングセル上で第２のダウンリンク送信メッセージを受信することができない回数と、
前記第２のサービングセルが、前記第２のサービングセルのためのＴＡコマンドを送ることができるオケージョンまたは時間リソースの周期性と、
前記第２のサービングセルの追加または解放のために使用される発見信号オケージョンの持続時間と、
前記第２のサービングセルの追加または解放のために使用される複数の発見信号の発生の周期性と、
前記第１のサービングセルおよび前記第２のサービングセル以外の少なくとも１つのサービングセルが、前記時間期間の間に追加または解放されることを要求される回数と、
前記第２のサービングセルを追加または解放するための中断持続時間と
のうちの少なくとも１つを含む、請求項３５から４０のいずれか一項に記載のネットワークノード（１０）。
【請求項４３】
前記少なくとも１つの動作タスクは、
前記第２のサービングセルにおけるアップリンクまたはダウンリンク上で前記ワイヤレスデバイスをスケジュールすることと、
前記ワイヤレスデバイスが、アップリンク送信およびダウンリンク送信のうちの少なくとも１つを実施することを可能にするために、前記ワイヤレスデバイスにスケジューリンググラントを送ることと、
第１のアップリンク送信に関する情報を別のネットワークノードに送信することと、
前記ワイヤレスデバイスのキャリアアグリゲーション設定を制御することと、
前記ワイヤレスデバイスの送信電力を制御することと、
前記ワイヤレスデバイスにおけるアップリンクタイミングを制御することと、
サービングセル変更を実施することと、
前記ワイヤレスデバイスの測定設定または再設定を実施することと、
前記ワイヤレスデバイスの測位関係設定または再設定を実施することと
を含む、請求項３５から４２のいずれか一項に記載のネットワークノード（１０）。
【請求項４４】
前記第２のキャリア上の前記第２のサービングセルを前記追加または解放することが、
前記第２のサービングセルを追加することと、
前記第２のサービングセルを設定することと、
前記第２のサービングセルをアクティブ化することと
からなるグループから選択された少なくとも１つの動作を含む、請求項３５から４３のいずれか一項に記載のネットワークノード（１０）。
【請求項４５】
前記第２のキャリア上の前記第２のサービングセルを前記追加または解放することが、
前記第２のサービングセルを解放することと、
前記第２のサービングセルを設定解除することと、
前記第２のサービングセルをアクティブ化解除することと
からなるグループから選択された少なくとも１つの動作を含む、請求項３５から４３のいずれか一項に記載のネットワークノード（１０）。
【請求項４６】
前記第２のサービングセルが、
セカンダリセル（ＳＣｅｌｌ）と、
プライマリセカンダリセル（ＰＳＣｅｌｌ）と
からなるグループから選択される、請求項３５から４５のいずれか一項に記載のネットワークノード（１０）。
【発明の詳細な説明】
【技術分野】
【０００１】
優先権主張
本出願は、それの開示が参照により本明細書に組み込まれる、２０１６年４月１１日に出願された、「Ｍｅｔｈｏｄｓ  ｆｏｒ  Ｃｏｎｔｒｏｌｌｉｎｇ  ＵＥ  Ｆｅｅｄｂａｃｋ  ｏｎ  ＳＣｅｌｌ  Ａｃｔｉｖａｔｉｏｎ  ａｎｄ  Ｄｅａｃｔｉｖａｔｉｏｎ  ｖｉａ  Ｕｎｌｉｃｅｎｓｅｄ  Ｓｐｅｃｔｒｕｍ」と題する米国特許仮出願第６２／３２１，０４４号の優先権を主張する。
【０００２】
本開示は、一般にワイヤレス通信に関し、より詳細には、未ライセンススペクトルを介したセカンダリセルアクティブ化およびアクティブ化解除に関するワイヤレスデバイスフィードバックを制御するためのシステムおよび方法に関する。
【背景技術】
【０００３】
ＬＴＥ  Ｒｅｌ−１３において導入された、３ＧＰＰ  ＴＳ  ３６．２１１において明記されているフレーム構造タイプ３に基づくライセンス支援型アクセス（ＬＡＡ）または動作は、未ライセンススペクトルにおける少なくとも１つのキャリア上のユーザ機器（ＵＥ）動作を指す。未ライセンススペクトルの一例は、ＷｉＦｉアクセスのために使用され得るバンド４６である。たとえば、ＵＥは、バンド１（ライセンス済みスペクトル）におけるプライマリセル（ＰＣｅｌｌ）およびバンド４６（未ライセンススペクトル）におけるセカンダリセル（ＳＣｅｌｌ）とのキャリアアグリゲーションを伴って設定され得る。未ライセンス帯域において動作するｅＮＢは、発見参照シンボル（ＤＲＳ：ｄｉｓｃｏｖｅｒｙ  ｒｅｆｅｒｅｎｃｅ  ｓｙｍｂｏｌ）を使用するＵＥ測定のために使用され得る信号のみを送信する。リリース８に開示されている共通参照信号（ＣＲＳ）とは異なり、ＤＲＳは、あらゆるサブフレームにおいて送信されるのではなく、代わりに周期的に送信される。たとえば、ＤＲＳは１６０ｍｓごとに送信され得る。
【０００４】
その上、ｅＮＢがＤＲＳを送信する前に、ｅＮＢは、（別のｅＮＢまたはＷｉＦｉアクセスポイントなどの）他のノードが未ライセンススペクトルにおいて送信していないことを確認するために、リッスンビフォアトーク（ＬＢＴ）プロシージャを実施し得る。これは、ＵＥ観点から、ｅＮＢが特定のＤＲＳ送信を送信することができないことがあることを意味する。いくつかの地域では、未ライセンス帯域上での異なる無線機およびアクセス技術のフェアな共存を保証するために、規制観点からＬＢＴ機能が必要とされる。
【０００５】
リリース１４では、上記で説明された未ライセンススペクトルにおけるダウンリンク（ＤＬ）動作に加えて、アップリンク（ＵＬ）動作が導入されている。これは、ＵＥが、未ライセンススペクトルにおける１つまたは複数のＳＣｅｌｌ上のＵＬ送信を伴って設定され、必要な場合ＵＬ  ＬＢＴを実施し得ることを意味する。
【０００６】
ＬＢＴプロシージャによれば、未ライセンススペクトルにおける送信機（たとえば、ＤＬの場合基地局、またはＵＬの場合ユーザ機器）は、送信機が送信することを開始する前に、キャリア上でリッスンする必要がある。媒体が空いている場合（ＬＢＴが成功したと呼ばれることがある）、送信機は送信し得る。逆に、何らかの他のノードが送信しているときなど、媒体が使用中である場合（ＬＢＴが失敗したと呼ばれることがある）、送信機は送信することができず、送信機は後で再び試みることができる。したがって、ＬＢＴプロシージャは、チャネルを使用する前のクリアチャネルアセスメント（ＣＣＡ）検査を可能にする。ＣＣＡに基づいて、チャネルがクリアであることがわかった場合、ＬＢＴは成功であると考えられる。しかし、チャネルが占有されていることがわかった場合、ＬＢＴは、ＬＢＴ失敗としても知られる失敗であると考えられる。ＬＢＴ失敗は、ネットワークノードに、同じサブフレームおよび／または後続のサブフレームにおいて信号を送信しないように求める。送信が禁止される厳密なサブフレームおよびサブフレームの数は、ＬＢＴ方式の特定の設計に依存する。
【０００７】
ＬＢＴにより、未ライセンス帯域における送信は、媒体が再び空きになるまで遅延され得る。また、（しばしばあることだが）送信ノード間の協調がない場合、遅延はランダムに現れ得る。
【０００８】
最も単純な形式では、ＬＢＴは、いくつかの時間単位に等しい期間を用いて周期的に実施される。たとえば、１つの時間単位は、１つの送信時間間隔（ＴＴＩ）、１つのタイムスロット、１つのサブフレーム、または別の単位を含み得る。ＬＢＴにおけるリスニングの持続時間は、一般に、数μ秒〜数十μ秒程度である。一般に、ＬＢＴ目的の場合、各ＬＴＥサブフレームは２つの部分に分割される。第１の部分では、リスニングが行われる。第２の部分は、チャネルが空いているとわかった場合、データを搬送する。リスニングは、現在サブフレームの最初に行われ、データ送信がこのサブフレームおよび数個の次のサブフレームにおいて続くか否かを決定する。したがって、サブフレームＰ＋ｎまでのサブフレームＰにおけるデータ送信は、サブフレームＰの最初の間のリスニングの結果によって決定される。数ｎは、システム設計および／または規制要件に依存する。
【０００９】
ＬＴＥにおけるランダムアクセス（ＲＡ）プロシージャが、ＵＥが、いくつかのシナリオの下でアップリンクアクセスを獲得することを可能にするために実施される。たとえば、ＲＡプロシージャは、以下のシナリオの下で実施され得る。
・  アイドルモードにおける初期アクセスの間、
・  たとえば、無線リンク失敗、ハンドオーバ失敗、または別の接続失敗の後など、ＲＲＣ接続再確立の場合、
・  ＵＥがアップリンク同期を失った後、
・  接続モードにあるＵＥがＵＬ同期を保持しないとき（たとえば、長い間欠受信（ＤＲＸ）の後など）のデータ到着による、
・  ハンドオーバの間、
・  タイミングアドバンスを導出するために使用される、たとえば、ｅＮＢ  Ｒｘ−Ｔｘ時間差測定など、測位測定を可能にするため、
・  デュアルコネクティビティにあるプライマリセカンダリセル（ＰＳＣｅｌｌ）を追加するため、
・  ＰＵＣＣＨを介してＳＣｅｌｌをアクティブ化するため。
【００１０】
ＬＴＥにおいて、ＲＡは、競合ベースであるか、または非競合ベースであり得る。ＬＡＡの場合、現在、非競合ベースＲＡのみが検討されている（しかし、スタンドアロンＬＡＡの場合、競合ベースランダムアクセスは除外されない）。
【００１１】
競合ベースＲＡプロシージャは、ＰＣｅｌｌおよびＰＳＣｅｌｌ上でのみ行われ得、非競合ベースＲＡプロシージャは、ＰＣｅｌｌ、１つまたは２つのアクティブ化されたＳＣｅｌｌ、およびＰＳＣｅｌｌ上で行われ得る。
【００１２】
競合ベースＲＡ機構と非競合ベースＲＡ機構の両方は、マルチステッププロシージャである。第１のステップでは、ＵＥは、ランダムに、ＲＡＣＨ機会の間のＲＡプリアンブルをｅＮＢに送る。ＲＡプリアンブルは、たとえば、システム情報によってなど、セルのために設定されたＲＡプリアンブルのセットから選択され、ｅＮＢに与えられる。第２のステップの間に、ネットワークは、ランダムアクセス応答（ＲＡＲ）メッセージ中の少なくともＲＡプリアンブル識別子または初期アップリンクグラントを用いてＵＥに応答する。第３のステップの間に、ＵＥは、メッセージ３（ｍｓｇ３）としても知られる接続要求に関係するさらなる詳細を送信するために、ＲＡＲにおいて受信された初期割振りを使用する。ｍｓｇ３では、ＵＥはまた、第４のステップおよび最終ステップの間に「競合解消メッセージ」においてｅノードＢによってエコーされる、ＵＥの識別子を送る。競合解消は、ＵＥが競合解消メッセージ中にＵＥ自身の識別情報を検出した場合、成功したと考えられる。さもなければ、ＵＥはＲＡを再び試みる。
【００１３】
非競合ベースＲＡでは、ｅＮＢは、最初に、「ランダムアクセスプリアンブル」を割り当てる。次のステップでは、ＵＥは、ＲＡＣＨ機会の間の割り当てられたプリアンブルをｅＮＢに送る。最後のステップでは、ネットワークは、ランダムアクセス応答（ＲＡＲ）メッセージ中の少なくともＲＡプリアンブル識別子、初期アップリンクグラント、タイミングアドバンスなどを用いてＵＥに応答する。
【００１４】
マルチキャリアサービングセットアップまたは解放プロシージャが使用され得る。本明細書では、マルチキャリアサービングセルセットアップは、ネットワークノードが、たとえば、ＣＡ対応ＵＥにおけるセカンダリサービングセル（ＳＣｅｌｌ）、デュアルコネクティビティ（ＤＣ）におけるＰＳＣｅｌｌなどの使用など、マルチキャリア動作のためにＵＥにおいてＳＣｅｌｌを少なくとも一時的にセットアップまたは解放することを可能にするプロシージャを指す。本明細書では、サービングセットアップまたは解放プロシージャまたはコマンドは、以下のうちのいずれか１つまたは複数を実施することができる。
・  （ＳＣｅｌｌ追加としても知られる）（１つまたは複数の）ＳＣｅｌｌの設定、
・  （ＳＣｅｌｌ解放としても知られる）（１つまたは複数の）ＳＣｅｌｌの設定解除、
・  （１つまたは複数の）ＳＣｅｌｌのアクティブ化、
・  （１つまたは複数の）ＳＣｅｌｌのアクティブ化解除、
・  ＤＣにおけるＰＳＣｅｌｌのセットアップ、
・  ＤＣにおけるＰＳＣｅｌｌの解放。
【００１５】
ＳＣｅｌｌの設定または設定解除および／あるいはＰＳＣｅｌｌの追加／解放を含み得る設定プロシージャは、１つまたは複数のＳＣｅｌｌ、ＰＳＣｅｌｌ、または他のサービングセルを用いることが可能なマルチキャリアＵＥを設定するためにサービング無線ネットワークノードによって使用される。一方、設定解除プロシージャは、１つまたは複数のすでに設定されたサービングセルを設定解除または削除するためにｅＮＢによって使用される。設定または設定解除プロシージャはまた、現在のマルチキャリア設定を変更するために使用される。たとえば、設定または設定解除プロシージャは、ＳＣｅｌｌの数を増加または減少させるために、または既存のＳＣｅｌｌを新しいものとスワップするために使用され得る。
【００１６】
サービング無線ネットワークノードは、１つまたは複数のアクティブ化解除されたサービングセルをアクティブ化するか、または対応する設定されたセカンダリキャリア上の１つまたは複数のサービングセルをアクティブ化解除することができる。ＰＣｅｌｌは常にアクティブ化されている。したがって、ＳＣｅｌｌはアクティブ化またはアクティブ化解除され得る。
【００１７】
既存のソリューションでは、キャリアアグリゲーション動作にあるＵＥは、ＳＣｅｌｌをアクティブ化し、アクティブ化されたＳＣｅｌｌのための有効なＣＳＩ（たとえば、非０ＣＱＩインデックスもつＣＱＩ）を、同じく、アクティブ化されたＳＣｅｌｌ上で送ることを要求され得る。これは、ＰＵＣＣＨ  ＳＣｅｌｌアクティブ化プロシージャと呼ばれる。このプロシージャは、ライセンス済みキャリアに属するＳＣｅｌｌのために指定されている。現在、ＰＵＣＣＨ  ＳＣｅｌｌが、ＵＬ  ＬＢＴを受ける未ライセンスキャリアにおいて動作するときのＰＵＣＣＨ  ＳＣｅｌｌのためのプロシージャがない。既存のソリューションが適用され、ＬＢＴが失敗した場合、ＵＥは、ＰＵＣＣＨ  ＳＣｅｌｌアクティブ化を実施することに失敗する。ＵＥ挙動は、不明瞭であり、ネットワークが未ライセンスキャリア上でＰＵＣＣＨ  ＳＣｅｌｌ動作を使用することが可能でないことがあることを生じ得る。
【発明の概要】
【００１８】
既存のソリューションを用いて上記の問題に対処するために、未ライセンススペクトルを介したセカンダリセルアクティブ化およびアクティブ化解除に関するワイヤレスデバイスフィードバックを制御するためのシステムおよび方法が開示される。
【００１９】
いくつかの実施形態によれば、サービングセルの追加または解放を実施するためのワイヤレスデバイスによる方法は、時間リソースにおいて第１のダウンリンクメッセージを受信することを含む。ワイヤレスデバイスは、第１のキャリア上の少なくとも第１のサービングセルにおいて動作するように設定されており、第１のダウンリンクメッセージは、第２のキャリア上の第２のサービングセルが追加または解放されることを要求する。第１のダウンリンクメッセージに応答して、第２のキャリア上の第２のサービングセルは追加または解放される。時間リソースから開始する時間期間内に、ワイヤレスデバイスは、第２のサービングセル上で、第２のサービングセルの追加または解放の完了を示す第１のアップリンクメッセージを送信する。時間リソースから開始する時間期間は、クリアチャネルアセスメント（ＣＣＡ）プロシージャに関係する少なくとも１つのパラメータの関数である長さのものである。
【００２０】
いくつかの実施形態によれば、サービングセルの追加または解放を実施するためのワイヤレスデバイスが提供される。本ワイヤレスデバイスは、ネットワークノードから、時間リソースにおいて第１のダウンリンクメッセージを受信するように設定された処理回路を含む。本ワイヤレスデバイスは、第１のキャリア上の少なくとも第１のサービングセルにおいて動作するように設定される。第１のダウンリンクメッセージは、第２のキャリア上の第２のサービングセルが追加または解放されることを要求する。第１のダウンリンクメッセージに応答して、ワイヤレスデバイスは、第２のキャリア上の第２のサービングセルを追加または解放する。時間リソースから開始する時間期間内に、ワイヤレスデバイスは、第２のサービングセルの追加または解放の完了を示す第１のアップリンクメッセージを送信する。第１のアップリンクメッセージは第２のサービングセル上で送信される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。
【００２１】
いくつかの実施形態によれば、サービングセルの追加または解放を実施するためのネットワークノードによる方法が提供される。本方法は、第１のキャリア上の少なくとも第１のサービングセルにおいて動作するように設定されたワイヤレスデバイスに、時間リソースにおいて第１のダウンリンクメッセージを送信することを含む。第１のダウンリンクメッセージは、ワイヤレスデバイスが第２のキャリア上の第２のサービングセルを追加または解放することを要求する。時間リソースから開始する時間期間内に、ネットワークノードは、ワイヤレスデバイスからおよび第２のサービングセル上で、第２のサービングセルの追加または解放の完了を示す第１のアップリンクメッセージを受信する。少なくとも１つの動作タスクが、第１のアップリンクメッセージに基づいて実施される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。
【００２２】
いくつかの実施形態によれば、サービングセルの追加または解放を実施するためのネットワークノードが提供される。本ネットワークノードは、第１のキャリア上の少なくとも第１のサービングセルにおいて動作するように設定されたワイヤレスデバイスに、時間リソースにおいて第１のダウンリンクメッセージを送信するように設定された処理回路を含む。第１のダウンリンクメッセージは、ワイヤレスデバイスが第２のキャリア上の第２のサービングセルを追加または解放することを要求する。時間リソースから開始する時間期間内に、第２のサービングセルの追加または解放の完了を示す第１のアップリンクメッセージが、第２のサービングセル上でワイヤレスデバイスから受信される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。本ネットワークノードは、第１のアップリンクメッセージに基づいて少なくとも１つの動作タスクを実施する。
【００２３】
本開示のいくつかの実施形態は、１つまたは複数の技術的利点を与え得る。たとえば、いくつかの実施形態によれば、キャリアアグリゲーション（ＣＡ）動作またはダイレクトコネクティビティ（ＤＣ）動作を実施するワイヤレスデバイスは、ワイヤレスデバイスがＳＣｅｌｌのアップリンク（ＵＬ）においてリッスンビフォアトーク（ＬＢＴ）を適用しなければならないときでも、指定された時間内にＳＣｅｌｌをアクティブ化またはアクティブ化解除することが可能であり得る。別の技術的利点は、ＣＡ動作またはＤＣ動作を実施するワイヤレスデバイスが、たとえば、セル上でアクティブ化またはアクティブ化解除されたための有効なＣＳＩなど、指示を送信することを可能にすることを含み得、ここで、ワイヤレスデバイスが、指定された時間期間内に指示を送ることができない場合、ＵＬ  ＬＢＴは適用されない。詳細には、いくつかの実施形態は、ワイヤレスデバイスが、ライセンス済みキャリアに関連するセル上でＣＳＩを送ることを可能にし得る。これは、ネットワークノードができるだけ早くＳＣｅｌｌのアクティブ化ステータスまたはアクティブ化解除ステータスに気づくことを保証し得る。さらに別の技術的利点は、ＤＣにおいて、ワイヤレスデバイスが、ＰＳＣｅｌｌ上でＵＬ  ＬＢＴを実施することを必要とされる場合でも、指定された時間期間内にプライマリＳＣｅｌｌ（ＰＳＣｅｌｌ）を追加または解放する能力であり得る。
【００２４】
他の利点が当業者には容易に明らかであろう。いくつかの実施形態は、具陳された利点のいずれをも有しないか、利点のいくつかまたはすべてを有し得る。
【００２５】
開示される実施形態ならびにそれらの特徴および利点のより完全な理解のために、次に、添付の図面とともに、以下の説明が参照される。
【図面の簡単な説明】
【００２６】
【図１】いくつかの実施形態による、セカンダリセルの追加または解放を実施するための例示的なワイヤレスネットワークを示す図である。
【図２】いくつかの実施形態による、セカンダリセルの追加または解放を実施するための例示的なワイヤレスデバイスを示す図である。
【図３】いくつかの実施形態による、セカンダリセルの追加または解放を実施するための別の例示的なワイヤレスデバイスを示す図である。
【図４】いくつかの実施形態による、セカンダリセルの追加または解放を実施するための例示的なネットワークノードを示す図である。
【図５】いくつかの実施形態による、セカンダリセルの追加または解放を実施するための別の例示的なネットワークノードを示す図である。
【図６】いくつかの実施形態による、セカンダリセルの追加または解放を実施するためのワイヤレスデバイスによる例示的な方法を示す図である。
【図７】いくつかの実施形態による、セカンダリセルの追加または解放を実施するための例示的な仮想コンピューティングデバイスを示す図である。
【図８】いくつかの実施形態による、セカンダリセルの追加または解放を実施するためのネットワークノードによる例示的な方法を示す図である。
【図９】いくつかの実施形態による、セカンダリセルの追加または解放を実施するための別の例示的な仮想コンピューティングデバイスを示す図である。
【図１０】いくつかの実施形態による、例示的な無線ネットワークコントローラまたはコアネットワークノードを示す図である。
【発明を実施するための形態】
【００２７】
本開示のいくつかの実施形態は、未ライセンススペクトルを介したセカンダリセルアクティブ化およびアクティブ化解除に関するワイヤレスデバイスフィードバックを制御するためのソリューションを与え得る。特定の実施形態が図面の図１〜図１０に記載されており、同様の数字が様々な図面の同様の部分および対応する部分のために使用されている。
【００２８】
以下の説明では、多数の具体的な詳細が記載されている。しかしながら、本発明の実施形態がこれらの具体的な詳細なしに実施され得ることを理解されたい。他の例では、よく知られている回路、構造および技法は、この説明の理解を不明瞭にしないために詳細に示されていない。当業者は、含まれた説明を用いて、過度の実験なしに適切な機能を実装することが可能になる。
【００２９】
「一実施形態」、「実施形態」、「特定の実施形態」、「例示的な実施形態」、および他のそのような参照への本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００３０】
以下の説明および特許請求の範囲において、「結合される」および「接続される」という用語は、それらの派生語とともに、使用され得る。これらの用語は、互いのための類義語として意図されないことを理解されたい。「結合される」は、互いに直接物理的にまたは電気的に接触していることも接触していないこともある２つまたはそれ以上の要素が、協働するかまたは互いに対話することを示すために使用される。「接続される」は、互いに結合された２つまたはそれ以上の要素間の通信の確立を示すために使用される。
【００３１】
電子デバイス（たとえば、エンドステーション、ネットワークデバイス）は、非一時的機械可読媒体（たとえば、磁気ディスク、光ディスク、読取り専用メモリ、フラッシュメモリデバイス、相変化メモリなど、機械可読記憶媒体）、および一時的機械可読伝送媒体（たとえば、搬送波、赤外線信号など、伝搬信号の電気、光、音響または他の形態）など、機械可読媒体を使用して（ソフトウェア命令から構成された）コードおよびデータを記憶および（内部でおよび／またはネットワーク上の他の電子デバイスと）送信する。さらに、そのような電子デバイスは、（コードおよび／またはデータを記憶するための）１つまたは複数の非一時的機械可読媒体、ユーザ入出力デバイス（たとえば、キーボード、タッチスクリーン、および／またはディスプレイ）、および（伝搬信号を使用してコードおよび／またはデータを送信するための）ネットワーク接続など、１つまたは複数の他の構成要素に結合された１つまたは複数のプロセッサのセットなど、ハードウェアを含む。プロセッサのセットと他の構成要素との結合は、一般に、１つまたは複数のバスおよび（バスコントローラとも呼ばれる）ブリッジを通したものである。したがって、所与の電子デバイスの非一時的機械可読媒体は、一般に、その電子デバイスの１つまたは複数のプロセッサ上での実行のための命令を記憶する。本発明の一実施形態の１つまたは複数の部分は、ソフトウェア、ファームウェア、および／またはハードウェアの異なる組合せを使用して実装され得る。
【００３２】
本明細書で使用される場合、ネットワークノードは、ネットワーク上の他の機器（たとえば、他のネットワークデバイス、エンドステーション）を通信可能に相互接続する、ハードウェアおよびソフトウェアを含む、１つのネットワーキング機器である。いくつかのネットワークデバイスは、複数のネットワーキング機能（たとえば、ルーティング、ブリッジング、スイッチング、レイヤ２アグリゲーション、セッション境界制御、サービス品質、および／または加入者管理）のサポートを与え、および／または複数のアプリケーションサービス（たとえば、データ、音声、およびビデオ）のサポートを与える「複数のサービスネットワークデバイス」である。加入者エンドステーション（たとえば、サーバ、ワークステーション、ラップトップ、ネットブック、パームトップ、モバイルフォン、スマートフォン、マルチメディアフォン、ボイスオーバーインターネットプロトコル（ＶｏＩＰ）フォン、ユーザ機器、端末、ポータブルメディアプレーヤ、ＧＰＳユニット、ゲーミングシステム、セットトップボックス）は、インターネットを介して与えられるコンテンツ／サービス、および／またはインターネットの上にオーバーレイされた（たとえば、インターネットを通してトンネリングされた）仮想プライベートネットワーク（ＶＰＮ）上で与えられるコンテンツ／サービスにアクセスする。コンテンツおよび／またはサービスは、一般に、ピアツーピアサービスに参加するサービスまたはコンテンツプロバイダあるいはエンドステーションに属する１つまたは複数のエンドステーション（たとえば、サーバエンドステーション）によって与えられ、たとえば、パブリックウェブページ（たとえば、フリーコンテンツ、ストアフロント、探索サービス）、プライベートウェブページ（たとえば、電子メールサービスを提供するユーザ名／パスワードアクセスウェブページ）、および／またはＶＰＮを介した企業ネットワークを含み得る。一般に、加入者エンドステーションは、他のエンドステーション（たとえば、サーバエンドステーション）に結合された他のエッジネットワークデバイスに（たとえば、１つまたは複数のコアネットワークデバイスを通して）結合された、エッジネットワークデバイスに（たとえば、（ワイヤードまたはワイヤレスに）アクセスネットワークに結合された顧客構内機器を通して）結合される。当業者は、ネットワークデバイス、エンドステーションまたは他のネットワーク装置が、本明細書で説明される様々な機能を実施することができることを了解するであろう。
【００３３】
図１は、いくつかの実施形態による、未ライセンススペクトルを介したセカンダリセルアクティブ化およびアクティブ化解除に関するワイヤレスデバイスフィードバックを制御するための例示的なワイヤレスネットワーク１００を示す。説明されるソリューションは、任意の好適な通信規格をサポートし、任意の好適な構成要素を使用する任意の適切なタイプの電気通信システムにおいて実装され得るが、説明されるソリューションの特定の実施形態は、ＬＴＥネットワークにおいて実装され得る。
【００３４】
図１に示されているように、例示的なワイヤレスネットワーク１００は、ワイヤレス通信デバイス１２の１つまたは複数のインスタンス（たとえば、従来のユーザ機器（ＵＥ）、マシンタイプ通信（ＭＴＣ）／マシンツーマシン（Ｍ２Ｍ）ＵＥ、または以下でより詳細に説明されるものなどの他のワイヤレスデバイス）と、これらのワイヤレス通信デバイス１２間の、またはワイヤレス通信デバイス１２と（固定電話などの）別の通信デバイスとの間の通信をサポートすることに適した追加の要素とともに、ワイヤレス通信デバイス１２と通信することが可能な１つまたは複数の無線アクセスノード１０（たとえば、ｅノードＢ、あるいは以下でより詳細に説明されるものなどの他の基地局またはネットワークノード）とを含み得る。図示されているワイヤレス通信デバイスは、ハードウェアおよび／またはソフトウェアの任意の好適な組合せを含む通信デバイスを表し得るが、これらのワイヤレス通信デバイスは、特定の実施形態では、図２および図３によってより詳細に図示されている例示的なワイヤレス通信デバイスなど、デバイスを表し得る。同様に、図示されている無線アクセスノードは、ハードウェアおよび／またはソフトウェアの任意の好適な組合せを含むネットワークノードを表し得るが、これらのノードは、特定の実施形態では、図４および図５によってより詳細に図示されている例示的な無線アクセスノードなど、デバイスを表し得る。
【００３５】
より詳細には、ワイヤレスネットワーク１００は、ワイヤレス通信デバイス１２、ワイヤレスデバイス１２、またはＵＥ１２と互換的に呼ばれることがあるワイヤレス通信デバイス１２Ａ〜１２Ｃと、無線アクセスノード１０、ネットワークノード１０、またはｅノードＢ（ｅＮＢ）１０と互換的に呼ばれることがある無線アクセスノード１０Ａ〜１０Ｃとを含む。ワイヤレスデバイス１２は、ワイヤレスインターフェースを介してネットワークノード１０と通信し得る。たとえば、ワイヤレスデバイス１２は、ワイヤレス信号をネットワークノード１０のうちの１つまたは複数に送信し、および／またはワイヤレス信号をネットワークノード１０のうちの１つまたは複数から受信し得る。ワイヤレス信号は、音声トラフィック、データトラフィック、制御信号、および／または任意の他の好適な情報を含んでいることがある。いくつかの実施形態では、ネットワークノード１０に関連するワイヤレス信号カバレッジのエリアはセルと呼ばれることがある。いくつかの実施形態では、ワイヤレスデバイス１２はＤ２Ｄ能力を有し得る。したがって、ワイヤレスデバイス１２は、信号を直接別のワイヤレスデバイス１２から受信し、および／または信号を直接別のワイヤレスデバイス１２に送信することが可能であり得る。たとえば、ワイヤレスデバイス１２Ａは、信号をワイヤレスデバイス１２Ｂから受信し、および／または信号をワイヤレスデバイス１２Ｂに送信することが可能であり得る。
【００３６】
いくつかの実施形態では、ネットワークノード１０は、無線ネットワークコントローラ（図１中に図示せず）とインターフェースし得る。無線ネットワークコントローラは、ネットワークノード１０を制御し得、いくつかの無線リソース管理機能、モビリティ管理機能、および／または他の好適な機能を与え得る。いくつかの実施形態では、無線ネットワークコントローラの機能は、ネットワークノード１０に含まれ得る。無線ネットワークコントローラは、コアネットワークノードとインターフェースし得る。いくつかの実施形態では、無線ネットワークコントローラは、相互接続ネットワークを介してコアネットワークノードとインターフェースし得る。相互接続ネットワークは、オーディオ、ビデオ、信号、データ、メッセージ、または前述の任意の組合せを送信することが可能な相互接続システムを指し得る。相互接続ネットワークは、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、ワイヤラインまたはワイヤレスネットワークなどのローカル、地域、またはグローバル通信またはコンピュータネットワーク、企業イントラネット、あるいはこれらの組合せを含む任意の他の好適な通信リンクの全部または一部分を含み得る。
【００３７】
いくつかの実施形態では、コアネットワークノードは、ワイヤレスデバイス１２のための通信セッションの確立および様々な他の機能を管理し得る。ワイヤレスデバイス１２は、非アクセス層レイヤを使用していくつかの信号をコアネットワークノードと交換し得る。非アクセス層シグナリングでは、ワイヤレスデバイス１２とコアネットワークノードとの間の信号は、無線アクセスネットワークを通して透過的に受け渡され得る。いくつかの実施形態では、ネットワークノード１０は、ノード間インターフェースを介して１つまたは複数のネットワークノードとインターフェースし得る。たとえば、ネットワークノード１０Ａおよび１０Ｂは、Ｘ２インターフェースを介してインターフェースし得る。
【００３８】
上記で説明されたように、ネットワーク１００の例示的な実施形態は、１つまたは複数のワイヤレスデバイス１２と、ワイヤレスデバイス１２と（直接または間接的に）通信することが可能な１つまたは複数の異なるタイプのネットワークノードとを含み得る。ワイヤレスデバイス１２は、セルラーまたは移動体通信システムにおけるノードおよび／または別のワイヤレスデバイスと通信する任意のタイプのワイヤレスデバイスを指し得る。ワイヤレスデバイス１２の例は、無線通信デバイス、ターゲットデバイス、モバイルフォン、スマートフォン、ＰＤＡ（携帯情報端末）、ポータブルコンピュータ（たとえば、ラップトップ、タブレット）、センサー、モデム、マシンタイプ通信（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、Ｄ２Ｄ対応デバイス、低コストまたは低複雑度ＵＥ、ＵＥを装備したセンサー、顧客構内機器（ＣＰＥ）、モノのインターネット（ＩｏＴ）デバイス、またはワイヤレス通信を与えることができる別のデバイスを含む。ワイヤレスデバイス１２は、いくつかの実施形態では、ＵＥ、局（ＳＴＡ）、デバイス、または端末と呼ばれることもある。
【００３９】
また、いくつかの実施形態では、一般用語「無線ネットワークノード」（または単に「ネットワークノード」）が使用される。無線ネットワークノードは、ワイヤレスデバイスおよび／または別のネットワークノードと通信する任意の種類のネットワークノードであり得る。例示的なネットワークノードは、ノードＢ、基地局（ＢＳ）、無線基地局、ＭＳＲ  ＢＳなどのマルチスタンダード無線（ＭＳＲ：ｍｕｌｔｉ−ｓｔａｎｄａｒｄ  ｒａｄｉｏ）無線ノード、ｅノードＢ（ｅＮＢ）、マスタｅＮＢ（ＭｅＮＢ）、セカンダリｅＮＢ（ＳｅＮＢ）、マスタセルグループ（ＭＣＧ）またはセカンダリセルグループ（ＳＣＧ）に属するネットワークノード、ネットワークコントローラ、無線ネットワークコントローラ（ＲＮＣ）、基地局コントローラ（ＢＳＣ）、マルチセル／マルチキャスト協調エンティティ（ＭＣＥ）、リレーノード、ドナーノード制御リレー、基地トランシーバ局（ＢＴＳ）、アクセスポイント（ＡＰ）、無線アクセスポイント、リモート無線ユニット（ＲＲＵ）、リモート無線ヘッド（ＲＲＨ）、送信ポイント、送信ノード、分散アンテナシステム（ＤＡＳ）におけるノード、コアネットワークノード（たとえば、モバイルスイッチングセンター（ＭＳＣ）、モバイル管理エンティティ（ＭＭＥ）など）、運用および保守（Ｏ＆Ｍ）、運用サポートシステム（ＯＳＳ）、自己組織化ネットワーク（ＳＯＮ）、測位ノード（たとえばＥ−ＳＭＬＣ）、ＭＤＴ、または任意の好適なネットワークノードを含み得る。本明細書で使用される「無線ノード」という用語は、ＵＥまたは無線ネットワークノードを示すためにも使用され得る。
【００４０】
ネットワークノード１０、ワイヤレスデバイス１２、および（無線ネットワークコントローラまたはコアネットワークノードなどの）他のネットワークノードの例示的な実施形態が、それぞれ、図２〜図３、図４〜図５、および図１０に関してより詳細に説明される。
【００４１】
図１はネットワーク１００の特定の構成を示しているが、本開示は、本明細書で説明される様々な実施形態が、任意の好適な設定を有する様々なネットワークに適用され得ることを企図する。たとえば、ネットワーク１００は、任意の好適な数のワイヤレスデバイス１２およびネットワークノード１０、ならびにワイヤレスデバイス間の通信、またはワイヤレスデバイスと（固定電話などの）別の通信デバイスとの間の通信をサポートするのに適した追加の要素を含み得る。さらに、いくつかの実施形態がロングタームエボリューション（ＬＴＥ）ネットワークにおいて実装されるものとして説明され得るが、実施形態は、任意の好適な通信規格をサポートし、任意の好適な構成要素を使用する任意の適切なタイプの電気通信システムにおいて実装され得、ワイヤレスデバイスが信号（たとえば、データ）を受信および／または送信する無線アクセス技術（ＲＡＴ）またはマルチＲＡＴシステムに適用可能である。たとえば、本明細書で説明される様々な実施形態は、ＬＴＥ、ＬＴＥアドバンスト、ＬＴＥ−Ｕ  ＵＭＴＳ、ＨＳＰＡ、ＧＳＭ、ｃｄｍａ２０００、ＷｉＭａｘ、ＷｉＦｉ、別の好適な無線アクセス技術、あるいは１つまたは複数の無線アクセス技術の任意の好適な組合せに適用可能であり得る。いくつかの実施形態はダウンリンクにおけるワイヤレス送信のコンテキストにおいて説明され得るが、本開示は、様々な実施形態がアップリンクにおいて等しく適用可能であることを企図し、その逆も同様である。
【００４２】
本明細書で説明される技法は、ライセンス免除チャネルにおけるＬＡＡ  ＬＴＥ動作とスタンドアロンＬＴＥ動作の両方に適用可能である。説明される技法は、概して、ネットワークノード１０とワイヤレスデバイス１２の両方からの送信に適用可能である。
【００４３】
図２は、いくつかの実施形態による、未ライセンススペクトルを介したセカンダリセルアクティブ化およびアクティブ化解除に関するワイヤレスデバイスフィードバックを制御するための例示的なワイヤレスデバイス１２を示す。図示のように、ワイヤレスデバイス１２は、トランシーバ２１０と、処理回路２２０と、メモリ２３０とを含む。いくつかの実施形態では、トランシーバ２１０は、（たとえば、アンテナを介して）ワイヤレス信号をネットワークノード１０に送信すること、およびワイヤレス信号をネットワークノード１０から受信することを可能にし、処理回路２２０は、ワイヤレスデバイス１２によって与えられているものとして上記で説明された機能の一部または全部を与えるための命令を実行し、メモリ２３０は、処理回路２２０によって実行される命令を記憶する。ワイヤレスデバイス１２の例が上記で与えられた。
【００４４】
処理回路２２０は、命令を実行し、ワイヤレスデバイス１２の説明される機能の一部または全部を実施するようにデータを操作するための、１つまたは複数のモジュールにおいて実装されたハードウェアとソフトウェアの任意の好適な組合せを含み得る。いくつかの実施形態では、処理回路２２０は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【００４５】
メモリ２３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ２３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００４６】
ワイヤレスデバイス１２の他の実施形態は、上記で説明された機能および／または（上記で説明されたソリューションをサポートするために必要な任意の機能を含む）任意の追加の機能のいずれかを含む、ワイヤレスデバイスの機能のいくつかの態様を与えることを担当し得る、図２に示されている構成要素以外の追加の構成要素を含み得る。
【００４７】
図３は、説明される非限定的な例示的な実施形態のうちの１つまたは複数において使用され得るＵＥまたは他のワイヤレスに接続されたデバイスを含み得る、別の例示的なワイヤレスデバイス１２のブロック図を示す。ＵＥ１２は、ＵＥ１２の動作を制御する処理モジュール３０を備える。処理モジュール３０は、信号をネットワーク２における基地局１０から受信するために、または信号を基地局１０に送信することと、信号を基地局１０から受信することとの両方を行うために使用される、関連する（１つまたは複数の）アンテナ３４をもつ受信機またはトランシーバモジュール３２に接続される。間欠受信（ＤＲＸ）を利用するために、処理モジュール３０は、指定された時間の長さの間受信機またはトランシーバモジュール３２をアクティブ化解除するように設定され得る。ユーザ機器１２は、処理モジュール３０に接続され、ＵＥ１２の動作のために必要とされるプログラムおよび他の情報およびデータを記憶するメモリモジュール３６をも備える。いくつかの実施形態では、ＵＥ１２は、ＵＥ１２の位置および移動の速度を決定するために使用され得る衛星測位システム（たとえばＧＰＳ）受信機モジュール３８を随意に備え得る。
【００４８】
図４は、いくつかの実施形態による、未ライセンススペクトルを介したセカンダリセルアクティブ化およびアクティブ化解除に関するワイヤレスデバイスフィードバックを制御するための例示的なネットワークノード１０を示す。上記で説明されたように、ネットワークノード１０は、ワイヤレスデバイス１２および／または別のネットワークノード１０と通信する、任意のタイプの無線ネットワークノードまたはネットワークノードであり得る。ネットワークノード１０の例が上記で与えられた。
【００４９】
ネットワークノード１０は、同種展開、異種展開、または混合展開としてネットワーク１００全体にわたって展開され得る。同種展開は、概して、同じ（または同様の）タイプのネットワークノード１０ならびに／または同様のカバレッジおよびセルサイズおよびサイト間距離からなる展開を表し得る。異種展開は、概して、異なるセルサイズ、送信電力、容量、およびサイト間距離を有する様々なタイプのネットワークノード１０を使用する展開を表し得る。たとえば、異種展開は、マクロセルレイアウト全体にわたって配置された複数の低電力ノードを含み得る。混合展開は同種部分と異種部分の混合を含み得る。
【００５０】
ネットワークノード１０は、トランシーバ４１０と、処理回路４２０と、メモリ４３０と、ネットワークインターフェース４４０とのうちの１つまたは複数を含み得る。いくつかの実施形態では、トランシーバ４１０は、（たとえば、アンテナを介して）ワイヤレス信号をワイヤレスデバイス１２に送信することおよびワイヤレス信号をワイヤレスデバイス１２から受信することを可能にし、処理回路４２０は、ネットワークノード１０によって与えられているものとして上記で説明された機能の一部または全部を与えるための命令を実行し、メモリ４３０は、処理回路４２０によって実行される命令を記憶し、ネットワークインターフェース４４０は、ゲートウェイ、スイッチ、ルータ、インターネット、公衆交換電話網（ＰＳＴＮ）、コアネットワークノード、または無線ネットワークコントローラなど、バックエンドネットワーク構成要素に信号を通信する。
【００５１】
いくつかの実施形態では、ネットワークノード１０は、マルチアンテナ技法を使用することが可能であり得、複数のアンテナを装備し、ＭＩＭＯ技法をサポートすることが可能であり得る。１つまたは複数のアンテナは制御可能偏波を有し得る。言い換えれば、各要素は、異なる偏波（たとえば、交差偏波の場合のような９０度分離）をもつ２つのコロケートされたサブ要素を有し得、したがって、ビームフォーミング重みの異なるセットが、放出された波動に異なる偏波を与えることになる。
【００５２】
処理回路４２０は、命令を実行し、ネットワークノード１０の説明される機能の一部または全部を実施するようにデータを操作するための、１つまたは複数のモジュールにおいて実装されたハードウェアとソフトウェアの任意の好適な組合せを含み得る。いくつかの実施形態では、処理回路４２０は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【００５３】
メモリ４３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ４３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００５４】
いくつかの実施形態では、ネットワークインターフェース４４０は、処理回路４２０に通信可能に結合され、ネットワークノード１０のための入力を受信するか、ネットワークノード１０からの出力を送るか、入力または出力あるいはその両方の好適な処理を実施するか、他のデバイスに通信するか、または前述の任意の組合せを行うように動作可能な任意の好適なデバイスを指し得る。ネットワークインターフェース４４０は、ネットワークを通して通信するために、適切なハードウェア（たとえば、ポート、モデム、ネットワークインターフェースカードなど）と、プロトコル変換能力およびデータ処理能力を含むソフトウェアとを含み得る。
【００５５】
ネットワークノード１０の他の実施形態は、上記で説明された機能および／または（上記で説明されたソリューションをサポートするために必要な任意の機能を含む）任意の追加の機能のいずれかを含む、無線ネットワークノードの機能のいくつかの態様を与えることを担当し得る、図４に示されている構成要素以外の追加の構成要素を含み得る。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理的構成要素を表し得る。さらに、第１のおよび第２のという用語は、例示的な目的で与えられたものにすぎず、入れ替えられ得る。
【００５６】
図５は、説明される例示的な実施形態において使用され得る、基地局１０、ノードＢ１０、またはｅＮＢ１０と呼ばれることもある、ネットワークノード１０を示す。マクロｅＮＢは、実際には、サイズおよび構造がマイクロｅＮＢと同等にならないが、例示の目的で、基地局１０は同様の構成要素を含むと仮定されることが諒解されよう。したがって、基地局１０は、基地局１０の動作を制御する処理モジュール４０を備える。処理モジュール４０は、信号をネットワーク２におけるＵＥ１２に送信し、信号をＵＥ１２から受信するために使用される、関連する（１つまたは複数の）アンテナ４４をもつトランシーバモジュール４２に接続される。基地局１０は、処理モジュール４０に接続され、基地局１０の動作のために必要とされるプログラムおよび他の情報およびデータを記憶するメモリモジュール４６をも備える。基地局１０は、（たとえばＸ２インターフェースを介して）基地局１０が情報を他の基地局１０と交換することを可能にするための構成要素および／または回路４８と、（たとえばＳ１インターフェースを介して）基地局１０が情報をコアネットワーク４におけるノードと交換することを可能にするための構成要素および／または回路４９とをも含む。他のタイプのネットワーク（たとえば、ＵＴＲＡＮまたはＷＣＤＭＡ  ＲＡＮ）において使用するための基地局は、図３に示されている構成要素と同様の構成要素と、それらのタイプのネットワークにおける他のネットワークノード（たとえば、他の基地局、モビリティ管理ノードおよび／またはコアネットワークにおけるノード）との通信を可能にするための適切なインターフェース回路４８、４９とを含むことになることが諒解されよう。
【００５７】
いくつかの実施形態では、プライマリサービングセル（ＰＣｅｌｌ）、プライマリセカンダリセル（ＰＳＣｅｌｌ）、およびセカンダリ（サービング）セル（ＳＣｅｌｌ）という一般用語が使用される。これらの用語は、あるワイヤレスデバイス１２が使用するように設定される異なるタイプのサービングセルを指し得る。これらの用語のために使用され得る他の用語は、それぞれ、プライマリコンポーネントキャリア（ＰＣＣ）、プライマリセカンダリコンポーネントキャリア（ＰＳＣＣ）、セカンダリコンポーネントキャリア（ＳＣＣ）である。
【００５８】
実施形態は、ワイヤレスデバイス１２が、データを受信し、および／またはデータを２つ以上のサービングセルに送信することが可能である、ワイヤレスデバイス１２の、シングルキャリア動作ならびにマルチキャリアまたはキャリアアグリゲーション（ＣＡ）動作に適用可能である。ＣＡは、「マルチキャリアシステム」、「マルチセル動作」、「マルチキャリア動作」、「マルチキャリア」送信および／または受信と互換的に呼ばれることもある。ＣＡでは、コンポーネントキャリア（ＣＣ）のうちの１つは、プライマリコンポーネントキャリア（ＰＣＣ）または単にプライマリキャリア、さらにはアンカーキャリアである。残りのＣＣは、セカンダリコンポーネントキャリア（ＳＣＣ）または単にセカンダリキャリア、さらには補助キャリアと呼ばれる。サービングセルは、プライマリセル（ＰＣｅｌｌ）またはプライマリサービングセル（ＰＳＣ）と互換的に呼ばれる。同様に、セカンダリサービングセルは、セカンダリセル（ＳＣｅｌｌ）またはセカンダリサービングセル（ＳＳＣ）と互換的に呼ばれる。
【００５９】
デュアルコネクティビティ（ＤＣ）動作では、ワイヤレスデバイス１２は、マスタｅＮＢ（ＭｅＮＢ）およびセカンダリｅＮＢ（ＳｅＮＢ）と呼ばれる少なくとも２つのネットワークノード１０によってサーブされ得る。より一般的には、（マルチコネクティビティとしても知られる）マルチプルコネクティビティ動作では、ワイヤレスデバイス１２は、２つまたはそれ以上のノード、たとえば、ＭｅＮＢ、ＳｅＮＢ１、ＳｅＮＢ２などによってサーブされ得る。ワイヤレスデバイス１２は、ＭｅＮＢとＳｅＮＢの両方からのＰＣＣを伴って設定される。ＭｅＮＢおよびＳｅＮＢからのＰＣｅｌｌは、それぞれ、ＰＣｅｌｌおよびＰＳＣｅｌｌと呼ばれる。一般に、ＰＣｅｌｌおよびＰＳＣｅｌｌは、独立してワイヤレスデバイス１２を動作させる。ワイヤレスデバイス１２は、ＭｅＮＢおよびＳｅＮＢの各々からの１つまたは複数のＳＣＣをも伴って設定される。ＭｅＮＢおよびＳｅＮＢによってサーブされる対応するセカンダリサービングセルは、ＳＣｅｌｌと呼ばれる。ＤＣにおけるワイヤレスデバイス１２は、一般に、ＭｅＮＢとの接続およびＳｅＮＢとの接続の各々のための別個のＴＸ／ＲＸを有する。これは、ＭｅＮＢおよびＳｅＮＢが、１つまたは複数のプロシージャ、たとえば、それぞれ、それらのＰＣｅｌｌおよびＰＳＣｅｌｌ上での無線リンク監視（ＲＬＭ）、ＤＲＸサイクルなどを伴ってワイヤレスデバイス１２を独立して設定することを可能にする。方法および実施形態は、ＣＡ、ＤＣ、およびマルチコネクティビティ（ＭＣ）に適用可能である。
【００６０】
本明細書で使用される「シグナリング」という用語は、（たとえば、ＲＲＣを介した）上位レイヤシグナリング、（たとえば、物理的制御チャネルまたはブロードキャストチャネルを介した）下位レイヤシグナリング、またはそれらの組合せのいずれかを含み得る。シグナリングは暗示的または明示的であり得る。シグナリングは、さらに、ユニキャスト、マルチキャストまたはブロードキャストであり得る。シグナリングはまた、別のノードに直接であるか、または第３のノードを介し得る。
【００６１】
ＤＲＳまたは発見（ｄｉｓｃｏｖｅｒ）（または発見（ｄｉｓｃｏｖｅｒｙ））信号という用語は、１つまたは複数の測定を実施するためにＵＥによって使用され得る任意のタイプの参照信号を含み得る。ＤＲＳの例は、セル固有参照信号（ＣＲＳ）、チャネル状態情報参照信号（ＣＳＩ−ＲＳ）、１次同期信号（ＰＳＳ）、２次同期信号（ＳＳＳ）、ＭＢＳＦＮ  ＲＳなどである。１つまたは複数のＤＲＳは、同じＤＲＳ時間リソースにおいて送信され得る。ＤＲＳ時間リソースの例は、シンボル、サブフレーム、スロットなどである。
【００６２】
本明細書における「測定、測定値（ｍｅａｓｕｒｅｍｅｎｔ）」という用語は、無線測定値を指す。無線測定値のいくつかの例は、受信信号強度指示（ＲＳＳＩ）測定値、チャネル占有測定値、ＷｉＦｉ  ＲＳＳＩ測定値、信号強度または信号電力測定値（たとえば、参照信号受信電力（ＲＳＲＰ）またはチャネル状態情報参照信号受信電力（ＣＳＩ−ＲＳＲＰ））、信号品質測定値（たとえば、参照信号受信品質（ＲＳＲＱ）、信号対干渉雑音比（ＳＩＮＲ）、タイミング測定値（たとえば、受信機送信機間（Ｒｘ−Ｔｘ）、参照信号時間差（ＲＳＴＤ）、ラウンドトリップタイム（ＲＴＴ）、到達時間（ＴＯＡ））、無線リンク監視測定値（ＲＬＭ）、ＣＳＩ、プリコーディング行列指示（ＰＭＩ）、セル検出、セル識別、成功した報告の回数、肯定応答（ＡＣＫ）／否定応答（ＮＡＣＫ）の回数、失敗率、エラーレートなどである。測定値は、絶対的または相対的（たとえば、絶対ＲＳＲＰおよび相対ＲＳＲＰ）であり得る。測定は、１つまたは複数の異なる目的、たとえば、無線リソース管理（ＲＲＭ）、ＳＯＮ、測位、ＭＤＴなどのために実施され得る。測定は、たとえば、周波数内測定、周波数間測定、またはＣＡ測定であり得る。測定は、ライセンス済みスペクトルおよび／または未ライセンススペクトルにおいて実施され得る。測定または測定報告は、単一の測定、周期的または非周期的、イベントトリガ型、ロギングされた測定などであり得る。
【００６３】
本明細書で使用されるＬＢＴという用語は、キャリア上で信号を送信することを決める前に、そのキャリア上でノードによって実施される任意のタイプのキャリア検知多重アクセス（ＣＳＭＡ）プロシージャまたは機構に対応し得る。ＣＳＭＡまたはＬＢＴは、クリアチャネルアセスメント（ＣＣＡ）またはクリアチャネル決定と互換的に呼ばれることもある。ＬＢＴを受けるキャリア上での信号の送信は、競合ベース送信とも呼ばれる。一方、ＬＢＴを受けないキャリア上での信号の送信は、競合なし送信とも呼ばれる。
【００６４】
本明細書で使用される時間リソースという用語は、時間の長さに関して表される任意のタイプの物理リソースまたは無線リソースに対応し得る。時間リソースの例は、シンボル、タイムスロット、サブフレーム、無線フレーム、送信時間間隔（ＴＴＩ）、インターリービング時間などである。
【００６５】
図６は、いくつかの実施形態による、セカンダリセルの追加または解放を実施するためのワイヤレスデバイス１２による例示的な方法６００を示す。いくつかの実施形態によれば、ワイヤレスデバイスは、第１のキャリア（ｆ１）上の少なくとも第１のサービングセル（ｃｅｌｌ１）を伴って設定されたマルチキャリア対応ＵＥである。追加動作または解放動作を実施するための方法は、第１のキャリア上の少なくとも第１のサービングセルにおいて動作するように設定されたワイヤレスデバイス１２が、ネットワークノードから、時間リソースにおいて第１のダウンリンクメッセージを受信したとき、ステップ６０２において始まり得る。第１のダウンリンクメッセージは、ワイヤレスデバイス１２に、第２のキャリア上の第２のサービングセルを追加または解放することを要求する。
【００６６】
例示的な一実施形態では、ワイヤレスデバイス１２は、第１のキャリア周波数（ｆ１）上で動作する少なくとも第１のセル（ｃｅｌｌ１）を伴って設定されており、ワイヤレスデバイス１２に、第２のキャリア（ｆ２）上で動作する第２のサービングセル（ｃｅｌｌ２）を追加または解放することを要求する少なくとも第１のダウンリンクメッセージ（ＤＬＭ１）を、時間リソース（ｍ）において第１のネットワークノード（ＮＷ１）から受信し得る。ＤＬＭ１はｃｅｌｌ１上のワイヤレスデバイスによって受信され得る。
【００６７】
いくつかの実施形態によれば、周波数ｆ２は未ライセンス帯域またはスペクトルに属し得るが、周波数ｆ２はライセンス済み帯域またはスペクトル上でも動作し得る。周波数ｆ１はライセンス済み帯域またはスペクトルに属し得るが、未ライセンス帯域またはスペクトル上でも動作し得る。いくつかの実施形態によれば、ｆ１とｆ２とは同じであることも同じでないこともあるが、ｆ１およびｆ２のうちの少なくとも１つは未ライセンススペクトルである。
【００６８】
特定の実施形態では、ワイヤレスデバイス１２は、さらに、第３のキャリア周波数（ｆ３）上で動作する第３のサービングセル（ｃｅｌｌ３）を追加または解放することを要求され得る。ワイヤレスデバイス１２は、ｃｅｌｌ３を追加または解放するようにとの要求を、ＮＷ１から、または第２のネットワークノード（ＮＷ２）から受信し得る。ワイヤレスデバイス１２は、ｃｅｌｌ２およびｃｅｌｌ３を追加または解放するようにとの要求を、同じメッセージ（ＤＬＭ１）を介して、または第２のダウンリンクメッセージ（ＤＭ２）を介してＮＷ１から受信し得る。ワイヤレスデバイス１２はまた、同じダウンリンクメッセージまたは異なるダウンリンクメッセージを介して同じまたは異なるネットワークノード１０から、複数のダウンリンクメッセージを追加または解放するために受信し得る。複数のサービングセルを追加または解放するためのダウンリンクメッセージは、ｃｅｌｌ１上で、または異なるセル上でワイヤレスデバイス１２によって受信され得る。ワイヤレスデバイス１２は、サービングセルを追加または解放するための異なるＤＬメッセージを、同じ時間リソース（ｍ）において、または異なる時間リソースにおいて受信し得る。特定の実施形態では、ワイヤレスデバイス１２は、時間リソース（ｍ）においてＤＬＭ１およびＤＬＭ２を受信し得る。別の特定の実施形態では、ワイヤレスデバイス１２は、それぞれ、時間リソース（ｍ）および時間リソース（ｍ１）においてＤＬＭ１およびＤＬＭ２を受信し得、たとえば、ｍ１＝ｍ＋ｘであり、ここで、ｘは、複数の時間リソースにおいて表される正の整数である。
【００６９】
特定の実施形態では、ワイヤレスデバイス１２は、１つのタイミングアドバンスグループ（ＴＡＧ）を伴って第１のネットワークノード１０によって設定され得、その場合、ｃｅｌｌ１とｃｅｌｌ２とは、同じＴＡＧ、たとえば、プライマリＴＡＧ（ｐＴＡＧ）に属する。この場合、ワイヤレスデバイス１２は、ｃｅｌｌ１およびｃｅｌｌ２上で信号を送信するために第１のタイミングアドバンス（ＴＡ１）を使用し得る。別の例示的な実装形態では、ワイヤレスデバイス１２は、２つまたはそれ以上のタイミングアドバンスグループを伴って第１のネットワークノード１０によって設定され得、その場合、ｃｅｌｌ１とｃｅｌｌ２とは異なるＴＡＧに属し得る。たとえば、ｃｅｌｌ１はｐＴＡＧに関連し得、ｃｅｌｌ２はセカンダリＴＡＧ（ｓＴＡＧ）に関連し得る。この場合、ワイヤレスデバイス１２は、ｃｅｌｌ１上で信号を送信するために第１のタイミングアドバンス（ＴＡ１）を使用し、ｃｅｌｌ２上で信号を送信するために第２のタイミングアドバンス（ＴＡ２）を使用し得る。
【００７０】
いくつかの実施形態によれば、ワイヤレスデバイス１２に、１つまたは複数のセカンダリセルを追加または解放することを要求するダウンリンクメッセージが、以下の機構またはプロトコル、すなわち、ＲＲＣ、ＭＡＣおよび、たとえば、ＰＤＣＣＨおよびＥ−ＰＤＣＣＨなど、物理チャネルのうちの１つまたは複数によって送られ得る。いくつかの実施形態によれば、１つまたは複数のセカンダリセルを追加または解放するための例示的なダウンリンクメッセージは、ＳＣｅｌｌ、ＰＳＣｅｌｌ、または別のセルのアクティブ化コマンド、アクティブ化解除コマンド、設定、再設定、解放、追加を含み得る。
【００７１】
ステップ６０４において、ワイヤレスデバイス１２は、第１のダウンリンクメッセージに応答して第２のキャリア上の第２のサービングセルを追加または解放する。上記で説明された例に続いて、ワイヤレスデバイス１２は、受信されたＤＬＭ１に基づいて、少なくともｃｅｌｌ２を追加または解放し得る。ワイヤレスデバイス１２は、ＤＬＭ１または他のダウンリンクメッセージがワイヤレスデバイス１２に複数のサービングセルを追加することを要求した場合、追加のサービングセルをさらに追加または解放し得る。
【００７２】
いくつかの実施形態によれば、ワイヤレスデバイス１２は、最初に、少なくともＤＬＭ１に基づいて、ワイヤレスデバイス１２がｃｅｌｌ２を追加または解放することを必要とされるかどうかを決定する。ワイヤレスデバイス１２は、ワイヤレスデバイス１２が、１つまたは複数のサービングセルを追加し、および／または１つまたは複数のサービングセルを解放することを必要とされるかどうかをも決定し得る。これは、ワイヤレスデバイス１２が、ＤＬＭ１、または１つまたは複数のサービングセルの追加または解放に関係するそれ以上のＤＬメッセージを処理することを必要とし得る。
【００７３】
いくつかの実施形態によれば、ワイヤレスデバイス１２は、時間期間（Ｔ１）の間にｃｅｌｌ２上で実施または実行されるＵＬ  ＬＢＴプロシージャに関係する少なくとも１つのパラメータの関数である、時間リソース（ｍ）から開始するＴ１内にｃｅｌｌ２の追加または解放を実施し得る。たとえば、特定の実施形態では、Ｔ１は以下の概略的な式によって表され得る。
Ｔ１＝ｆ１（Ｔｂ，Ｋ１，α）      （１）
ここで、
・  Ｔｂは、ｃｅｌｌ２を追加または解放するための基本時間期間である。特定の実施形態では、Ｔｂの値は、ｃｅｌｌ２の追加および解放のために同じまたは異なるものであり得る。特定の実施形態では、Ｔｂの値は、ｃｅｌｌ２が、ワイヤレスデバイス１２に知られているのか、ワイヤレスデバイス１２に知られていないのかにさらに依存し得る。特定の実施形態では、ｃｅｌｌ２は、ワイヤレスデバイス１２がｃｅｌｌ２を識別したかまたは最後のある時間期間内に測定報告を送った場合、ワイヤレスデバイス１２に知られているかもしれない。たとえば、例示的な一実施形態では、ｃｅｌｌ２は、ワイヤレスデバイス１２が５秒以内に報告を送った場合、ワイヤレスデバイス１２に知られているかもしれない。逆に、ワイヤレスデバイスが測定報告を送らなかった場合、ｃｅｌｌ２は知られていないかもしれない。
一例として、ｃｅｌｌ２が知られている場合、Ｔｂがｃｅｌｌ２のアクティブ化のために２４ｍｓであると仮定し、セル２がワイヤレスデバイス１２に知られていない場合、Ｔｂが３４ｍｓであると仮定する。別の例では、Ｔｂは、ｃｅｌｌ２のアクティブ化解除のために８ｍｓに等しくなり得る。
ｃｅｌｌ２の値は、ワイヤレスデバイス１２が、Ｔ１の間に１つまたは複数のセル（たとえば、ｃｅｌｌ３）を追加または解放するためのＤＬＭ２を受信するかどうかにさらに依存し得る。これは、ｃｅｌｌ２上でのプロシージャのＴ１（たとえば、５ｍｓ）の間のｃｅｌｌ３の追加または解放が、中断（たとえば、５ｍｓ）を生じるからである。たとえば、ワイヤレスデバイス１２が、Ｔ１の間にｃｅｌｌ３を追加または解放するためのＤＬＭ２を受信した場合、Ｔｂは、ｃｅｌｌ２がワイヤレスデバイス１２にそれぞれ、知られている場合および知られていない場合、２９ｍｓおよび３９ｍｓであり得る。
・  Ｋ１は、ＵＥがｃｅｌｌ２を追加または解放している間、Ｔ１の間にｃｅｌｌ２上でワイヤレスデバイス１２によって適用されるＵＬ  ＬＢＴプロシージャに関係するパラメータである。Ｋ１の例は、以下であり得る。
・  ＵＬ  ＬＢＴがＴ１の間にｃｅｌｌ２上で失敗する回数である、
・  ワイヤレスデバイス１２が、Ｔ１の間のｃｅｌｌ２上での（１つまたは複数の）ＵＬ  ＬＢＴ失敗により、ｃｅｌｌ２上で第１のアップリンクメッセージ（ＵＬＭ１）を送信することができない回数である、
・  ＬＢＴの確率を特徴づける、
・  ＬＢＴの周期性を特徴づける、
・  ＬＢＴ成功の後のチャネル保持時間または最大チャネル保持時間を特徴づける、
・  たとえば、ワイヤレスデバイス１２が参照時間に関して１：１０よりも長い時間の間または１０％よりも長い間チャネルを占有することができないときなど、チャネルアクセスの公平性に関係するパラメータを特徴づける。
・  αは、ワイヤレスデバイスの実装マージンである（とはいえ、特定の実施形態では、特殊な場合として、αは、無視され、０に設定され得る）。
【００７４】
特定の実施形態では、たとえば、（１）における概略的な式は、以下のより具体的な式によって表され得る。
Ｔ１＝Ｔｂ＋Ｋ１＊Ｔｂ＋α
【００７５】
いくつかの他の実施形態によれば、Ｔ１は、以下の概略的な式によって表され得る。
Ｔ１＝ｆ２（Ｔｂ，Ｋ１，Ｔｒ，α）      （２）
ここで、
・  Ｔｒは、ワイヤレスデバイス１２が、ｃｅｌｌ２の追加または解放の完了を示すＵＬＭ２をｃｅｌｌ２上で送り得る時間リソースの発生の周期性である。たとえば、特定の実施形態によれば、Ｔｒは、ｃｅｌｌ２の追加または解放の完了を示すＵＬＭ１を送るための、ｃｅｌｌ２上でのアップリンクチャネルの時間リソースの発生の期間であり得る。アップリンクチャネルの例は、ＰＵＣＣＨ、ランダムアクセス、ＰＵＳＣＨなどのデータチャネルを含み得る。たとえば、特定の実施形態では、Ｔｒは２０ｍｓに等しくなり得る。
【００７６】
特定の実施形態によれば、ワイヤレスデバイス１２は、時間期間（Ｔ１）の間にワイヤレスデバイス１２によってｃｅｌｌ２上で実施または実行されるＵＬ  ＬＢＴプロシージャに関係する少なくとも１つのパラメータの関数であり、Ｔ１の間にネットワークノードによってｃｅｌｌ２上で実施または実行されるＤＬ  ＬＢＴプロシージャに関係する少なくとも１つのパラメータの関数でもあり得る、時間リソース（ｍ）から開始するＴ１内にｃｅｌｌ２の追加または解放を実施し得る。以下で例が与えられる。
【００７７】
特定の実施形態では、たとえば、（２）における概略的な式は、以下のより具体的な式によって表され得る。
Ｔ１＝Ｔｂ＋Ｋ１＊Ｔｒ＋α
【００７８】
いくつかの他の実施形態によれば、Ｔ１は、ｃｅｌｌ２上でのＵＬ  ＬＢＴとＤＬ  ＬＢＴの両方の関数であり得、以下の概略的な式によって表され得る。
Ｔ１＝ｆ３（Ｔｂ，Ｋ１，Ｋ２，α）      （３）
ここで、
・  Ｋ２は、たとえば、ワイヤレスデバイス１２がｃｅｌｌ２を追加または解放している間になど、Ｔ１の間にｃｅｌｌ２を動作させるネットワークノード１０によって適用されるＤＬ  ＬＢＴプロシージャに関係するパラメータである。いくつかの実施形態によれば、Ｋ２の例は、以下であり得る。
・  ＤＬ  ＬＢＴがＴ１の間にｃｅｌｌ２上で失敗する回数である、
・  ワイヤレスデバイス１２が、たとえば、Ｔ１の間のｃｅｌｌ２上でのＤＬ  ＬＢＴ失敗によりなど、Ｔ１の間にｃｅｌｌ２を追加または解放するために使用される信号をｃｅｌｌ２上で受信することができない回数である、
・  ＬＢＴの確率を特徴づける、
・  ＬＢＴの周期性を特徴づける、
・  ＬＢＴ成功の後のチャネル保持時間または最大チャネル保持時間を特徴づける、
・  たとえば、ＵＥが参照時間に関して１：１０よりも長い時間の間または１０％よりも長い間チャネルを占有することができないとき、チャネルアクセスの公平性に関係するパラメータを特徴づける。
【００７９】
特定の実施形態では、たとえば、（３）における概略的な式は、以下のより具体的な式によって表され得る。
Ｔ１＝Ｔｂ＋（Ｋ１＋ｋ２）＊Ｔｂ＋α
【００８０】
またいくつかの他の実施形態によれば、Ｔ１は、ｃｅｌｌ２上でのＵＬ  ＬＢＴプロシージャとＤＬ  ＬＢＴプロシージャの両方の関数であり得、以下の概略的な式によって表され得る。
Ｔ１＝ｆ４（Ｔｂ，Ｋ１，Ｔｒ，Ｋ２，Ｔｕ，α）      （４）
ここで、
・  Ｔｕは、ワイヤレスデバイス１２がｃｅｌｌ２を追加または解放するための１つまたは複数の信号を使用するダウンリンクにおける時間リソースの発生の周期性である。そのようなＤＬ信号の例は、ＰＳＳ、ＳＳＳ、ＣＲＳなど、発見信号を含み得る。特定の実施形態では、たとえば、Ｔｕは、４０ｍｓ、８０ｍｓおよび１６０ｍｓのいずれかであり得る。
【００８１】
特定の実施形態では、たとえば、（４）における概略的な式は、以下のより具体的な式によって表され得る。
Ｔ１＝Ｔｂ＋Ｋ１＊Ｔｒ＋ｋ２＊Ｔｕ＋α
【００８２】
この実施形態の別の態様では、Ｔ１は、ワイヤレスデバイス１２が、同じＴＡＧ（たとえば、ｐＴＡＧ）においてｃｅｌｌ１およびｃｅｌｌ２を動作させるように設定されるのか、異なるＴＡＧにおいてｃｅｌｌ１およびｃｅｌｌ２を動作させる（たとえば、ｐＴＡＧなど、ＴＡＧ１においてｃｅｌｌ１を動作させ、ｓＴＡＧなど、ＴＡＧ２においてｃｅｌｌ２を動作させる）ように設定されるのかにさらに依存し得る。ワイヤレスデバイス１２が異なるＴＡＧにおいてｃｅｌｌ２およびｃｅｌｌ１を動作させるように設定される場合、ワイヤレスデバイス１２は、Ｔ１内にｃｅｌｌ２上でＵＬＭ１を送信するための有効なＴＡ２を必要とし得る。タイミングアドバンス（ＴＡ）は、時間整合タイマー（ＴＡＴ）の満了まで有効と見なされ得る。ＴＡは、ＴＡＴの満了時に無効であると見なされ得る。いくつかの実施形態によれば、ワイヤレスデバイス１２は、ネットワークノードからＴＡコマンドを受信すると、ＴＡＴを開始し得る。たとえば、ワイヤレスデバイス１２は、ＰＤＣＣＨなど、制御チャネル上でｃｅｌｌ１からＴＡコマンドを受信すると、ＴＡＴを開始し得る。
【００８３】
いくつかの実施形態によれば、ワイヤレスデバイス１２が、ｃｅｌｌ２を含んでいるＴＡＧ２のための有効なＴＡ２を有する場合、ワイヤレスデバイス１２は、上記で述べられた式（１）〜（４）のいずれかに従ってＴ１内にｃｅｌｌ２上でＵＬＭ１を送り得る。逆に、ワイヤレスデバイス１２が、ｃｅｌｌ２を含んでいるＴＡＧ２のための有効なＴＡ２を有しない場合、ワイヤレスデバイス１２は、最初に、ｃｅｌｌ２上でＵＬＭ１を送る前に、ｃｅｌｌ２のためのＴＡ２を収集し得る。この場合、ＴＡ２を収集するために、ワイヤレスデバイス１２は、ｃｅｌｌ２上でＵＬＭ１を送る前に、ｃｅｌｌ２上で第２のアップリンクメッセージ（ＵＬＭ２）を送り得る。
【００８４】
特定の実施形態では、ＵＬＭ２は、ｃｅｌｌ２上のランダムアクセスチャネルであり得る。たとえば、ＵＬＭ２は非競合ベースＲＡ送信であり得る。応答して、ＮＷ１または別のネットワークノード１０は、ＴＡ２値を含んでいる第３のダウンリンクメッセージ（ＤＬＭ３）をワイヤレスデバイス１２に送信し得る。いくつかの実施形態によれば、ＤＬＭ３は、たとえば、ＰＤＣＣＨまたはＥ−ＰＤＣＣＨなど、制御チャネル上で送信され得る。他の実施形態では、ＤＬＭ３は、たとえば、ＰＤＳＣＨなど、データチャネル上で送信され得る。いくつかの実施形態によれば、ワイヤレスデバイス１２が有効なＴＡ２を必要とするとき、ワイヤレスデバイス１２は、ｃｅｌｌ２上での少なくともＵＬ  ＬＢＴプロシージャの関数であり、以下の概略的な式によって表され得る、Ｔ１内にｃｅｌｌ２上でＵＬＭ１を送り得る。
Ｔ１＝ｆ５（Ｔｂ，Ｔａ，Ｋ１，α）      （５）
ここで、
・  Ｔａは、ｃｅｌｌ２を含んでいるＴＡＧのための有効なＴＡ２をネットワークノードから収集するためにワイヤレスデバイス１２によって必要とされる総時間である。
【００８５】
特定の実施形態では、たとえば、（５）における概略的な式は、以下のより具体的な式によって表され得る。
Ｔ１＝Ｔｂ＋Ｔａ＋Ｋ１＊Ｔａ＋α
【００８６】
またいくつかの他の実施形態によれば、Ｔ１は、ｃｅｌｌ２上でのＵＬ  ＬＢＴプロシージャとＤＬ  ＬＢＴプロシージャの両方の関数であり得、ワイヤレスデバイス１２は、セルのための有効なＴＡ２を収集する必要があり得る。したがって、Ｔ１は、以下の概略的な式によって表され得る。
Ｔ１＝ｆ６（Ｔｂ，Ｔａ，Ｋ１，Ｋ２，α）      （６）
【００８７】
特定の実施形態では、たとえば、（６）における概略的な式は、以下のより具体的な式によって表され得る。
Ｔ１＝Ｔｂ＋Ｋ１＊Ｔｒ＋Ｋ２＊Ｔｕ＋Ｔａ＋α
【００８８】
また別の特定の実施形態によれば、Ｔ１は、ｃｅｌｌ２上でのＵＬ  ＬＢＴプロシージャとＤＬ  ＬＢＴプロシージャの両方の関数であり得、ワイヤレスデバイス１２は、セルのための有効なＴＡ２を収集する必要があり得る。したがって、Ｔ１は、以下の概略的な式によって表され得る。
Ｔ１＝ｆ７（Ｔｂ，Ｔａ，Ｋ１，Ｔｒ，Ｋ２，Ｔｕ）      （７）
【００８９】
いくつかの実施形態によれば、例示的な式のうちのいくつかに上記で含まれているパラメータ（Ｔａ）は、少なくともＵＬ  ＬＢＴがｃｅｌｌ２上で適用される場合、以下の概略的な式によってさらに表され得る。
Ｔａ＝ｆ（Ｔａ１，Ｔａ２，Ｔａ３，Ｋ１’，β）      （８）
ここで、
・  Ｔａ１は、ｃｅｌｌ２における（たとえば、ＰＵＣＣＨ  ＳＣｅｌｌにおける）ＵＬＭ２を送るための第１の利用可能なオケージョン（たとえば、ＰＲＡＣＨオケージョン）を収集する際の遅延不確実性である。一例として、Ｔａ１は、特定の実施形態では、最高２５個のサブフレームであり得、Ｔａ１の実際の値は、ｃｅｌｌ２中で使用されるＵＬＭ２設定に依存し得る。たとえば、Ｔａ１は、特定の実施形態では、ＰＵＣＣＨ  ＳＣｅｌｌ中で使用されるＰＲＡＣＨ設定に依存し得る。
・  Ｔａ２は、ｃｅｌｌ２がそれに設定されるＴＡＧ（たとえば、ｓＴＡＧ）のための有効なＴＡコマンドを取得するための遅延である。特定の実施形態では、たとえば、Ｔａ２は最高１３個のサブフレームであり得る。
・  Ｔａ３は、ｃｅｌｌ２上でのＵＬＭ１の送信のために、受信されたＴＡを適用するための遅延である。一例として、Ｔａ３は、特定の実施形態では、６つのサブフレームであり得る。
・  Ｋ１’は、ワイヤレスデバイス１２が、ｃｅｌｌ２上でのＵＬ  ＬＢＴ失敗により、ｃｅｌｌ２上でＵＬＭ２を送信することができない回数である。
・  βは、ワイヤレスデバイス１２の実装マージンである。特殊な場合として、β＝０である。
【００９０】
いくつかの他の実施形態によれば、Ｔａは、少なくともＵＬ  ＬＢＴがｃｅｌｌ２上で適用される場合、以下の概略的な式によって表され得る。
Ｔａ＝ｆ８（Ｔａ１，Ｔａ２，Ｔａ３，Ｋ１’，Ｔｐ，β）      （９）
ここで、
・  Ｔｐは、ＵＬＭ２を送信するためのオケージョンの周期性である。たとえば、Ｔｐは、特定の実施形態では、２０ｍｓなど、ＰＲＡＣＨオケージョン周期性であり得る。
【００９１】
いくつかの実施形態によれば、（８）および（９）における上記の概略的な式では、Ｔ１の値は、ＵＬ  ＬＢＴならびにＤＬ  ＬＢＴがｃｅｌｌ２上で適用され、ワイヤレスデバイス１２が、ｃｅｌｌ１上で、またはＤＬ  ＬＢＴがその上で適用されない任意のサービングセル上でＤＬＭ３を受信する場合にも適用可能である。たとえば、ワイヤレスデバイス１２は、特定の実施形態では、ｃｅｌｌ１上でｃｅｌｌ２のためのＴＡ２を受信し得る。
【００９２】
いくつかの実施形態によれば、Ｔａは、ＵＬ  ＬＢＴおよびＤＬ  ＬＢＴがｃｅｌｌ２上で適用され、ワイヤレスデバイス１２が、同じくｃｅｌｌ２上で、特定の実施形態においてｃｅｌｌ２のためのＴＡ２を含み得る、ＤＬＭ３を受信する場合、以下の概略的な式によってさらに表され得る。
Ｔａ＝ｆ９（Ｔａ１，Ｔａ２，Ｔａ３，Ｋ１’，Ｋ２’，β）      （１０）
ここで、
・  Ｋ２’は、ワイヤレスデバイス１２が、ｃｅｌｌ２上でのＤＬ  ＬＢＴ失敗により、ｃｅｌｌ２上でＤＬＭ３を受信することができない回数である。
【００９３】
いくつかの他の実施形態によれば、Ｔａは、ＵＬ  ＬＢＴならびにＤＬ  ＬＢＴがｃｅｌｌ２上で適用され、ワイヤレスデバイス１２が、同じくｃｅｌｌ２上で、特定の実施形態においてｃｅｌｌ２のためのＴＡ２を含み得る、ＤＬＭ３を受信する場合、以下の概略的な式によってさらに表され得る。
Ｔａ＝ｆ１０（Ｔａ１，Ｔａ２，Ｔａ３，Ｋ１’，Ｋ２’，Ｔｐ，Ｔｔ，β）      （１１）
ここで、
・  Ｔｔは、ｃｅｌｌ２がｃｅｌｌ２のためのＴＡコマンドをワイヤレスデバイス１２にｃｅｌｌ２上で送ることができるオケージョンまたは時間リソースの周期性である。
【００９４】
いくつかの実施形態によれば、（８）における概略的な式は、以下の具体的な式によって表され得る。
Ｔａ＝Ｔａ１＋Ｔａ２＋Ｔａ３＋Ｋ１’＊Ｔａ１＋β      （１２）
【００９５】
いくつかの実施形態によれば、（９）における概略的な式は、以下の具体的な式によって表され得る。
Ｔａ＝Ｔａ１＋Ｔａ２＋Ｔａ３＋Ｋ１’＊Ｔｐ＋β      （１３）
【００９６】
いくつかの実施形態によれば、（１０）における概略的な式は、以下の具体的な式によって表され得る。
Ｔａ＝Ｔａ１＋Ｔａ２＋Ｔａ３＋Ｋ１’＊Ｔａ１＋Ｋ２’＊Ｔａ２＋β      （１４）
【００９７】
いくつかの実施形態によれば、（１１）における概略的な式は、以下の具体的な式によって表され得る。
Ｔａ＝Ｔａ１＋Ｔａ２＋Ｔａ３＋Ｋ１’＊Ｔｐ＋Ｋ２’＊Ｔｔ＋β      （１５）
【００９８】
いくつかの実施形態によれば、上記の式中のパラメータ（Ｔｂ）は、以下の概略的な式によって表され得る。
Ｔｂ＝ｆ１１（Ｔｄ，Ｔｄｐ，Ｋ２”，Ｐ，μ，γ）      （１６）
ここで、
・  Ｔｄｐは、ｃｅｌｌ２の追加または解放のために使用される発見信号オケージョンの持続時間である。たとえば、ＴｄｐはＤＭＴＣ持続時間であり得る。
・  Ｔｄｐは、ｃｅｌｌ２の追加または解放のために使用される発見信号の発生の周期性である。たとえば、ＴｄｐはＤＭＴＣ周期性であり得る。
・  Ｋ２”は、発見信号オケージョンが、たとえば、ＳＣｅｌｌアクティブ化時間の間になど、ｃｅｌｌ２追加または解放プロシージャの間にワイヤレスデバイス１２において利用可能でない回数である。
・  Ｐは、ｃｅｌｌ２以外のサービングセルがＴ１の間に追加または解放されることを要求される回数である。
・  μは、１つのサービングセルを追加または解放するための中断持続時間である。たとえば、特定の実施形態では、μは５ｍｓに等しくなり得る。
・  γは、ワイヤレスデバイス１２の実装マージンである。特定の実施形態では、たとえば、γは０に等しくなり得る。
【００９９】
いくつかの実施形態によれば、（１６）における概略的な式は、Ｔ１の間に、ワイヤレスデバイス１２が、ｃｅｌｌ２のみを追加または解放することを要求されると仮定すると、以下の具体的な式によって表され得る。
Ｔｂ＝γ＋Ｔｄ＋Ｋ１”＊Ｔｄｐ      （１７）
【０１００】
いくつかの実施形態によれば、（１６）における概略的な式は、Ｔ１の間に、ワイヤレスデバイス１２が、ｃｅｌｌ２のみを追加または解放することを要求されると仮定すると、以下の具体的な式によっても表され得る。
Ｔｂ＝γ＋Ｔｄ＋（Ｋ１”＋δ）＊Ｔｄｐ      （１８）
ここで、δは整数であり、たとえば、δ＝２であり得る。
【０１０１】
いくつかの実施形態によれば、（１６）における概略的な式は、Ｔ１の間に、ワイヤレスデバイス１２がｃｅｌｌ２をも追加または解放している間に、ワイヤレスデバイス１２が１つまたは複数のサービングセルを追加または解放することを要求されると仮定すると、以下の具体的な式によって表され得る。
2019518360.tif 000003
ここで、Ｎは、ワイヤレスデバイス１２によってサポートされるサービングセルの最大数である。
【０１０２】
ステップ６０６において、ワイヤレスデバイス１２は、時間リソースから開始する時間期間内に、第２のサービングセルの追加または解放の完了を示す第１のアップリンクメッセージを送信する。時間リソースから開始する時間期間は、時間期間の間に第２のサービングセル上でワイヤレスデバイス１２によって実施されるＣＣＡプロシージャに関係する少なくとも１つのパラメータの関数である長さのものであり得る。
【０１０３】
いくつかの実施形態によれば、たとえば、ワイヤレスデバイス１２は、Ｔ１内にｃｅｌｌ２上で第１のアップリンクメッセージ（ＵＬＭ１）を送信する。セルが成功裡に追加または解放された場合、メッセージは、ワイヤレスデバイス１２がｃｅｌｌ２を追加または解放するためのプロシージャを成功裡に完了したことを示す。様々な特定の実施形態では、メッセージは、以下のうちの１つまたは複数を含み得る。
・  たとえば、ＲＳＲＰ、ＲＳＲＱ、ＲＳ−ＳＩＮＲ、および／または非０ＣＱＩインデックスをもつＣＱＩなど、ｃｅｌｌ２のためのＣＳＩ測定結果など、ｃｅｌｌ２上で行われた測定の測定報告、
・  ＡＣＫメッセージまたはＮＡＣＫメッセージ、
・  ｃｅｌｌ２が追加または解放されたという指示、あるいはｃｅｌｌ２が追加または解放されなかったという指示（たとえば、特定の実施形態によれば、ｃｅｌｌ２の追加または解放の成功を示すために０が使用され得、失敗を示すために１が使用され得る）。
【０１０４】
いくつかの実施形態によれば、ワイヤレスデバイス１２メッセージは、メッセージを送ると、ｃｅｌｌ２上での動作のための設定を受信するためにワイヤレスデバイス１２自体を準備し得る。たとえば、ワイヤレスデバイス１２は、特定の実施形態では、信号をｃｅｌｌ２に送信し、および／または信号をｃｅｌｌ２から受信するためのスケジューリンググラントを受信するためにワイヤレスデバイス１２自体を準備し得る。
【０１０５】
いくつかの他の実施形態によれば、ワイヤレスデバイス１２が上述の式のいずれかに従って持続時間Ｔ１内にｃｅｌｌ２を追加または解放することができない場合、ワイヤレスデバイス１２は、以下のアクションのうちの１つまたは複数を適用し得る。
・  ｃｅｌｌ２を追加または解放するプロシージャを中止する、
・  ワイヤレスデバイス１２が、Ｔ１の間に１つまたは複数の他のサービングセルを追加または解放するようにとの要求を受信した場合、ｃｅｌｌ２以外の少なくとも１つのサービングセルを追加または解放するプロシージャを中止する、
・  ｃｅｌｌ２上でＵＬＭ１を送る代わりに、ｃｅｌｌ１を介してＵＬＭ１を送信する、
・  ｃｅｌｌ２上でＵＬＭ１を送る代わりに、たとえば、ＰＣｅｌｌまたはＰＳＣｅｌｌなど、プライマリサービングセルを介してＵＬＭ１を送信する、
・  ｃｅｌｌ２以外の任意のサービングセルを介してＵＬＭ１を送信する、
・  サービングセルがライセンス済みキャリアに属する場合など、ＵＬ  ＬＢＴおよび／またはＤＬ  ＬＢＴが実施されない場合、任意のサービングセルを介してＵＬＭ１を送信する、
・  以下の条件のうちの１つまたは複数が満たされたとき、上記のアクションのいずれかを実施する、
・  Ｔ１がしきい値を超える、
・  たとえば、Ｋ１、Ｋ２、Ｋ１’、Ｋ２’およびＫ２”のいずれかがそれらのそれぞれのしきい値を超える場合など、上述の式中で使用されるＵＬ  ＬＢＴおよび／またはＤＬ  ＬＢＴに関係するパラメータのうちのいずれか１つまたは複数が、それらのそれぞれのしきい値を超える。
【０１０６】
いくつかの実施形態では、上記で説明されたようにセカンダリセルの追加または解放を実施するための方法は、仮想コンピューティングデバイスによって実施され得る。図７は、いくつかの実施形態による、セカンダリセルの追加または解放を実施するための例示的な仮想コンピューティングデバイス７００を示す。いくつかの実施形態では、仮想コンピューティングデバイス７００は、図６に示され、記載されている方法に関して上記で説明されたステップと同様のステップを実施するためのモジュールを含み得る。たとえば、仮想コンピューティングデバイス７００は、受信モジュール７１０と、追加／解放モジュール７２０と、送信モジュール７３０と、未ライセンススペクトルを介したセカンダリセルアクティブ化およびアクティブ化解除に関するワイヤレスデバイスフィードバックを制御するための任意の他の好適なモジュールとを含み得る。いくつかの実施形態では、モジュールのうちの１つまたは複数は、図２の処理回路または図３の処理モジュール３０のうちの１つまたは複数を使用して実装され得る。いくつかの実施形態では、様々なモジュールのうちの２つまたはそれ以上の機能が、組み合わせられて単一のモジュールになり得る。
【０１０７】
受信モジュール７１０は、仮想コンピューティングデバイス７００の受信機能を実施し得る。たとえば、特定の実施形態では、受信モジュール７１０は、ネットワークノードから、時間リソースにおいて第１のダウンリンクメッセージを受信し得る。いくつかの実施形態によれば、受信モジュール７１０に関連するワイヤレスデバイスは、第１のキャリア上の少なくとも第１のサービングセルにおいて動作するように設定されており、第１のダウンリンクメッセージは、第２のキャリア上の第２のサービングセルが追加または解放されることを要求し得る。
【０１０８】
追加／解放モジュール７２０は、仮想コンピューティングデバイス７００の追加および／または解放機能を実施し得る。たとえば、特定の実施形態では、追加／解放モジュール７２０は、第１のダウンリンクメッセージに応答して、第２のキャリア上の第２のサービングセルを追加または解放し得る。
【０１０９】
送信モジュール７３０は、仮想コンピューティングデバイス７００の送信機能を実施し得る。たとえば、特定の実施形態では、送信モジュール７３０は、第２のサービングセルの追加または解放の完了を示す第１のアップリンクメッセージを送信し得る。いくつかの実施形態によれば、第１のアップリンクメッセージは、第２のサービングセル上で、および時間リソースから開始する時間期間内に送信され得る。時間リソースから開始する時間期間は、時間期間の間に第２のサービングセル上でワイヤレスデバイスによって実施されるＣＣＡプロシージャに関係する少なくとも１つのパラメータの関数である長さのものであり得る。
【０１１０】
仮想コンピューティングデバイス７００の他の実施形態は、上記で説明された機能および／または（上記で説明されたソリューションをサポートするために必要な任意の機能を含む）任意の追加の機能のいずれかを含む、ワイヤレスデバイスの機能のいくつかの態様を与えることを担当し得る、図７に示されている構成要素以外の追加の構成要素を含み得る。様々な異なるタイプのワイヤレスデバイス１２は、同じ物理ハードウェアを有するが（たとえば、プログラミングを介して）異なる無線アクセス技術をサポートするように設定された構成要素を含み得るか、あるいは部分的にまたは完全に異なる物理的構成要素を表し得る。
【０１１１】
図８は、いくつかの実施形態による、セカンダリセルの追加または解放を実施するためのネットワークノード１０による例示的な方法８００を示す。本方法は、ネットワークノード１０が、ワイヤレスデバイス１２に、時間リソースにおいて第１のダウンリンクメッセージを送信するとき、ステップ８０２において始まる。いくつかの実施形態によれば、ワイヤレスデバイス１２は、第１のキャリア上の少なくとも第１のサービングセルにおいて動作するように設定され得る。ダウンリンクメッセージは、ワイヤレスデバイス１２に、第２のキャリア上の第２のサービングセルを追加または解放することを要求し得る。
【０１１２】
いくつかの実施形態によれば、たとえば、第１のネットワークノード１０ａは、マルチキャリア動作が可能なワイヤレスデバイス１２が、ワイヤレスデバイス１２による少なくともＵＬ  ＬＢＴプロシージャを受ける、第２の周波数（ｆ２）上の第２のサービングセル（ｃｅｌｌ２）を追加または解放する必要があると決定し得る。ネットワークノード１０ａは、たとえば、ＵＥバッファ中のデータの量に基づいてこれを決定し得る。特定の実施形態では、たとえば、ワイヤレスデバイス１２は、バッファ中のトラフィックの量がしきい値を上回るとき、ｃｅｌｌ２を追加する必要があり得る。
【０１１３】
ｃｅｌｌ２を追加または解放する必要を決定したことに応答して、第１のネットワークノード１０ａは、時間リソース（ｎ）においてワイヤレスデバイス１２に、ワイヤレスデバイス１２にｃｅｌｌ２を追加または解放することを要求するための第１のＤＬメッセージ（ＤＬＭ１）を送信する。第１のネットワークノード１０ａは、ＤＬＭ１において、または別のメッセージにおいて、または異なるメッセージにおいて要求を送ることによって、ワイヤレスデバイス１２に１つまたは複数のサービングセルを追加することをさらに要求し得る。
【０１１４】
特定の実施形態によれば、ＤＬＭ１の一例は、ＭＡＣコマンド、ＰＤＣＣＨ指令、またはＲＲＣメッセージを含み得る。コマンドは、たとえば、ｆ２上でＳＣｅｌｌをアクティブ化またはアクティブ化解除するためのものであり得る。
【０１１５】
ステップ８０４において、および時間リソースから開始する時間期間内に、ネットワークノード１０は、第２のサービングセルの追加または解放の完了を示す第１のアップリンクメッセージを受信する。いくつかの実施形態によれば、第１のアップリンクメッセージは、第２のサービングセル上で送信され得、時間リソースから開始する時間期間は、時間期間の間に第２のサービングセル上でワイヤレスデバイス１２によって実施されるＣＣＡプロシージャに関係する少なくとも１つのパラメータの関数である長さのものであり得る。
【０１１６】
たとえば、特定の実施形態では、第１のネットワークノード１０ａは、時間リソース（ｎ）から開始する第１の時間期間（Ｔ１）内に、第１のＵＬメッセージ（ＵＬＭ１）をワイヤレスデバイス１２から受信し得る。ＵＬＭ１は、受信されたＤＬＭ１において要求された、ｃｅｌｌ２に対してワイヤレスデバイス１２によって適用された追加または解放するためのプロシージャの結果を示し得る。
【０１１７】
さらに、特定の実施形態によれば、第１のネットワークノード１０ａは、さらに、ワイヤレスデバイス１２に、ｃｅｌｌ２が設定されるＴＡＧのためのタイミングアドバンスコマンドを含んでいる第３のＤＬメッセージ（ＤＬＭ３）を送り得る。第１のネットワークノード１０ａは、自律的に、またはワイヤレスデバイス１２から、たとえば、ｃｅｌｌ２上でランダムアクセス要求など、要求を受信したことに応答して、ＤＬＭ３を送り得る。
【０１１８】
ステップ８０６において、ネットワークノード１０は、第１のアップリンクメッセージに基づいて少なくとも１つの動作タスクを実施する。いくつかの実施形態によれば、たとえば、第１のネットワークノード１０ａは、以下のうちの１つまたは複数を含み得る１つまたは複数の動作タスクのために、受信されたＵＬＭ１を使用し得る。
・  アップリンク上でおよび／またはダウンリンクにおいてワイヤレスデバイス１２をスケジュールすること、
・  ワイヤレスデバイス１２がアップリンク送信および／またはダウンリンク送信を実施することを可能にするためのスケジューリンググラントをワイヤレスデバイス１２に送ること、
・  たとえば、Ｔ１の持続時間に応じてなど、ワイヤレスデバイス１２のための別のサービングセルを追加または解放すべきかどうかを決めること、
・  受信されたＵＬＭ１に関する情報を別のネットワークノード１０に送信すること、
・  新しいＣＡ設定をワイヤレスデバイス１２に送ることをも含み得る、ＵＥ  ＣＡ設定を制御すること、
・  新しいＵＥ  ＣＡ設定を、たとえば、別のｅノードＢまたは測位ノードなど、別のノードに送ること、
・  新しい電力制御設定をワイヤレスデバイス１２に送ることをも含み得る、ＵＥ送信電力を制御すること、
・  たとえば、ＵＬタイミングのためのＴＡＧおよび／またはＤＬ参照を設定または再設定することによって、ワイヤレスデバイス１２におけるＵＬタイミングを制御すること、
・  たとえば、ＰＣｅｌｌ変更またはＳＣｅｌｌ変更を介してサービングセルを変更すること、
・  新しい測定設定をワイヤレスデバイス１２に送ることをも含み得る、ワイヤレスデバイス１２による測定を設定または再設定すること、
・  新しい測位関係設定をワイヤレスデバイス１２に送ることをも含み得る、ワイヤレスデバイスの測位関係設定を設定または再設定すること（たとえば、測位測定設定、支援データ）。
【０１１９】
いくつかの実施形態では、上記で説明されたようにセカンダリセルの追加または解放を実施するための方法は、仮想コンピューティングデバイスによって実施され得る。図９は、いくつかの実施形態による、セカンダリセルの追加または解放を実施するための例示的な仮想コンピューティングデバイス９００を示す。いくつかの実施形態では、仮想コンピューティングデバイス９００は、図８に示され、記載されている方法に関して上記で説明されたステップと同様のステップを実施するためのモジュールを含み得る。たとえば、仮想コンピューティングデバイス９００は、少なくとも１つの送信モジュール９１０と、受信モジュール９２０と、実施モジュール９３０と、未ライセンススペクトルを介したセカンダリセルアクティブ化およびアクティブ化解除に関するワイヤレスデバイスフィードバックを制御するための任意の他の好適なモジュールとを含み得る。いくつかの実施形態では、モジュールのうちの１つまたは複数は、図４の処理回路４２０および／または図５の処理モジュール４０を使用して実装され得る。いくつかの実施形態では、様々なモジュールのうちの２つまたはそれ以上の機能が、組み合わせられて単一のモジュールになり得る。
【０１２０】
送信モジュール９１０は、仮想コンピューティングデバイス９００の送信機能を実施し得る。たとえば、特定の実施形態では、送信モジュール９１０は、ワイヤレスデバイス１２に、時間リソースにおいて第１のダウンリンクメッセージを送信し得る。いくつかの実施形態によれば、ワイヤレスデバイス１２は、第１のキャリア上の少なくとも第１のサービングセルにおいて動作するように設定され得る。ダウンリンクメッセージは、ワイヤレスデバイス１２に、第２のキャリア上の第２のサービングセルを追加または解放することを要求し得る。
【０１２１】
受信モジュール９２０は、仮想コンピューティングデバイス９００の受信機能を実施し得る。たとえば、特定の実施形態では、受信モジュール９２０は、時間リソースから開始する時間期間内に、第２のサービングセルの追加または解放の完了を示す第１のアップリンクメッセージを受信し得る。いくつかの実施形態によれば、第１のアップリンクメッセージは、第２のサービングセル上で送信され得、時間リソースから開始する時間期間は、時間期間の間に第２のサービングセル上でワイヤレスデバイス１２によって実施されるＣＣＡプロシージャに関係する少なくとも１つのパラメータの関数である長さのものであり得る。
【０１２２】
実施モジュール９３０は、仮想コンピューティングデバイス９００の実施機能を実施し得る。たとえば、特定の実施形態では、実施モジュール９３０は、第１のアップリンクメッセージに基づいて少なくとも１つの動作タスクを実施し得る。
【０１２３】
仮想コンピューティングデバイス９００の他の実施形態は、上記で説明された機能および／または（上記で説明されたソリューションをサポートするために必要な任意の機能を含む）任意の追加の機能のいずれかを含む、ネットワークノード１０の機能のいくつかの態様を与えることを担当し得る、図９に示されている構成要素以外の追加の構成要素を含み得る。様々な異なるタイプのワイヤレスデバイス１０は、同じ物理ハードウェアを有するが（たとえば、プログラミングを介して）異なる無線アクセス技術をサポートするように設定された構成要素を含み得るか、あるいは部分的にまたは完全に異なる物理的構成要素を表し得る。
【０１２４】
図１０は、いくつかの実施形態による、例示的な無線ネットワークコントローラまたはコアネットワークノードを示す。ネットワークノードの例は、モバイルスイッチングセンター（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラまたはコアネットワークノード１０００は、処理回路１０２０と、メモリ１０３０と、ネットワークインターフェース１０４０とを含む。いくつかの実施形態では、処理回路１０２０は、ネットワークノードによって与えられているものとして上記で説明された機能の一部または全部を与えるための命令を実行し、メモリ１０３０は、処理回路１０２０によって実行される命令を記憶し、ネットワークインターフェース１０４０は、ゲートウェイ、スイッチ、ルータ、インターネット、公衆交換電話網（ＰＳＴＮ）、ネットワークノード１０、無線ネットワークコントローラまたはコアネットワークノード１０００など、任意の好適なノードに信号を通信する。
【０１２５】
処理回路１０２０は、命令を実行し、無線ネットワークコントローラまたはコアネットワークノード１０００の説明される機能の一部または全部を実施するようにデータを操作するための、１つまたは複数のモジュールにおいて実装されたハードウェアとソフトウェアの任意の好適な組合せを含み得る。いくつかの実施形態では、処理回路１０２０は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【０１２６】
メモリ１０３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ１０３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１２７】
いくつかの実施形態では、ネットワークインターフェース１０４０は、処理回路１０２０に通信可能に結合され、ネットワークノードのための入力を受信するか、ネットワークノードからの出力を送るか、入力または出力あるいはその両方の好適な処理を実施するか、他のデバイスに通信するか、または前述の任意の組合せを行うように動作可能な任意の好適なデバイスを指し得る。ネットワークインターフェース１０４０は、ネットワークを通して通信するために、適切なハードウェア（たとえば、ポート、モデム、ネットワークインターフェースカードなど）と、プロトコル変換能力およびデータ処理能力を含むソフトウェアとを含み得る。
【０１２８】
ネットワークノードの他の実施形態は、上記で説明された機能および／または（上記で説明されたソリューションをサポートするために必要な任意の機能を含む）任意の追加の機能のいずれかを含む、ネットワークノードの機能のいくつかの態様を与えることを担当し得る、図１０に示されている構成要素以外の追加の構成要素を含み得る。
【０１２９】
いくつかの実施形態によれば、サービングセルの追加または解放を実施するためのワイヤレスデバイスによる方法は、時間リソースにおいて第１のダウンリンクメッセージを受信することを含む。ワイヤレスデバイスは、第１のキャリア上の少なくとも第１のサービングセルにおいて動作するように設定されており、第１のダウンリンクメッセージは、第２のキャリア上の第２のサービングセルが追加または解放されることを要求する。第１のダウンリンクメッセージに応答して、第２のキャリア上の第２のサービングセルは追加または解放される。時間リソースから開始する時間期間内に、ワイヤレスデバイスは、第２のサービングセル上で、第２のサービングセルの追加または解放の完了を示す第１のアップリンクメッセージを送信する。時間リソースから開始する時間期間は、クリアチャネルアセスメント（ＣＣＡ）プロシージャに関係する少なくとも１つのパラメータの関数である長さのものである。
【０１３０】
いくつかの実施形態によれば、サービングセルの追加または解放を実施するためのワイヤレスデバイスが提供される。本ワイヤレスデバイスは、ネットワークノードから、時間リソースにおいて第１のダウンリンクメッセージを受信するように設定された処理回路を含む。本ワイヤレスデバイスは、第１のキャリア上の少なくとも第１のサービングセルにおいて動作するように設定される。第１のダウンリンクメッセージは、第２のキャリア上の第２のサービングセルが追加または解放されることを要求する。第１のダウンリンクメッセージに応答して、ワイヤレスデバイスは、第２のキャリア上の第２のサービングセルを追加または解放する。時間リソースから開始する時間期間内に、ワイヤレスデバイスは、第２のサービングセルの追加または解放の完了を示す第１のアップリンクメッセージを送信する。第１のアップリンクメッセージは第２のサービングセル上で送信される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。
【０１３１】
いくつかの実施形態によれば、サービングセルの追加または解放を実施するためのネットワークノードによる方法が提供される。本方法は、第１のキャリア上の少なくとも第１のサービングセルにおいて動作するように設定されたワイヤレスデバイスに、時間リソースにおいて第１のダウンリンクメッセージを送信することを含む。第１のダウンリンクメッセージは、ワイヤレスデバイスが第２のキャリア上の第２のサービングセルを追加または解放することを要求する。時間リソースから開始する時間期間内に、ネットワークノードは、ワイヤレスデバイスからおよび第２のサービングセル上で、第２のサービングセルの追加または解放の完了を示す第１のアップリンクメッセージを受信する。少なくとも１つの動作タスクが、第１のアップリンクメッセージに基づいて実施される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。
【０１３２】
いくつかの実施形態によれば、サービングセルの追加または解放を実施するためのネットワークノードが提供される。本ネットワークノードは、第１のキャリア上の少なくとも第１のサービングセルにおいて動作するように設定されたワイヤレスデバイスに、時間リソースにおいて第１のダウンリンクメッセージを送信するように設定された処理回路を含む。第１のダウンリンクメッセージは、ワイヤレスデバイスが第２のキャリア上の第２のサービングセルを追加または解放することを要求する。時間リソースから開始する時間期間内に、第２のサービングセルの追加または解放の完了を示す第１のアップリンクメッセージが、第２のサービングセル上でワイヤレスデバイスから受信される。時間リソースから開始する時間期間は、時間期間の間に第２のサービングセル上でワイヤレスデバイスによって実施されるクリアチャネルアセスメント（ＣＣＡ）プロシージャに関係する少なくとも１つのパラメータの関数である長さのものである。本ネットワークノードは、第１のアップリンクメッセージに基づいて少なくとも１つの動作タスクを実施する。
【０１３３】
いくつかの他の実施形態によれば、追加動作または解放動作を実施するための、第１のキャリア（ｆ１）上の少なくとも第１のサービングセル（ｃｅｌｌ１）を伴って設定されたマルチキャリア対応ワイヤレスデバイスにおける方法が与えられる。本方法は、時間リソース（ｍ）において第１のネットワークノードから、第２のキャリア（ｆ２）上の第２のサービングセル（ｃｅｌｌ２）を追加または解放するための第１のダウンリンクメッセージ（ＤＬＭ１）を受信することを含み得る。本方法は、ｃｅｌｌ２の追加または解放の完了を示すｍに関連する時間リソースから開始する時間期間（Ｔ１）内に、ｃｅｌｌ２を追加または解放することと、ｃｅｌｌ２上で第１のアップリンクメッセージ（ＵＬＭ１）を送信することとをさらに含み得る。Ｔ１は、Ｔ１の間にｃｅｌｌ２上でＵＥによって実施される少なくともアップリンクＬＢＴプロシージャに関係する少なくとも１つのパラメータの関数であり得る。いくつかの実施形態によれば、「ｍに関連する」という句は、たとえば、ｍ＋ｋ（ｋ＝０，１，．．．）を含み得る。
【０１３４】
いくつかの実施形態によれば、ワイヤレスデバイスが追加動作または解放動作を実施することを可能にするための、第１のキャリア（ｆ１）上の少なくとも第１のサービングセル（ｃｅｌｌ１）を伴って設定されたマルチキャリア対応ワイヤレスデバイスをサーブする第１のネットワークノードにおける方法が与えられる。本方法は、ワイヤレスデバイスに第２のキャリア（ｆ２）上の第２のサービングセル（ｃｅｌｌ２）を追加または解放することを要求するためのダウンリンクメッセージ（ＤＬＭ１）を、時間リソース（ｍ）においてワイヤレスデバイスに送信することを含み得る。本方法は、ｍに関連する時間リソースから開始する時間期間（Ｔ１）内にｃｅｌｌ２上でワイヤレスデバイスから第１のアップリンクメッセージ（ＵＬＭ１）を受信することをさらに含み得る。いくつかの実施形態によれば、Ｔ１は、Ｔ１の間にｃｅｌｌ２上でＵＥによって実施される少なくともアップリンクＬＢＴプロシージャに関係する少なくとも１つのパラメータの関数であり得る。受信されたＵＬＭ１は、たとえば、ｃｅｌｌ２上でワイヤレスデバイスをスケジュールすることなど、１つまたは複数の無線動作タスクのために使用され得る。いくつかの実施形態によれば、「ｍに関連する」という句は、たとえば、ｍ＋ｋ（ｋ＝０，１，．．．）を含み得る。
【０１３５】
本開示のいくつかの実施形態は、１つまたは複数の技術的利点を与え得る。たとえば、いくつかの実施形態によれば、キャリアアグリゲーション（ＣＡ）動作またはダイレクトコネクティビティ（ＤＣ）動作を実施するワイヤレスデバイスは、ワイヤレスデバイスがＳＣｅｌｌのアップリンク（ＵＬ）においてリッスンビフォアトーク（ＬＢＴ）を適用しなければならないときでも、指定された時間内にＳＣｅｌｌをアクティブ化またはアクティブ化解除することが可能であり得る。別の技術的利点は、ＣＡ動作またはＤＣ動作を実施するワイヤレスデバイスが、たとえば、セル上でアクティブ化またはアクティブ化解除されたための有効なＣＳＩなど、指示を送信することを可能にすることを含み得、ここで、ワイヤレスデバイスが、指定された時間期間内に指示を送ることができない場合、ＵＬ  ＬＢＴは適用されない。詳細には、いくつかの実施形態は、ワイヤレスデバイスが、ライセンス済みキャリアに関連するセル上でＣＳＩを送ることを可能にし得る。これは、ネットワークノードができるだけ早くＳＣｅｌｌのアクティブ化ステータスまたはアクティブ化解除ステータスに気づくことを保証し得る。さらに別の技術的利点は、ＤＣにおいて、ワイヤレスデバイスが、ＰＳＣｅｌｌ上でＵＬ  ＬＢＴを実施することを必要とされる場合でも、指定された時間期間内にプライマリＳＣｅｌｌ（ＰＳＣｅｌｌ）を追加または解放する能力であり得る。
【０１３６】
本開示の範囲から逸脱することなく、本明細書で説明されるシステムおよび装置に対して変更、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各要素またはセットのサブセットの各要素を指す。
【０１３７】
本開示の範囲から逸脱することなく、本明細書で説明される方法に対して変更、追加、または省略が行われ得る。本方法は、より多数の、より少数の、または他のステップを含み得る。さらに、図および説明におけるプロセスが本発明のいくつかの実施形態によって実施される動作の特定の順序を示し得るが、そのような順序は例示的であることを理解されたい。代替実施形態は、異なる順序で動作を実施し、いくつかの動作を組み合わせ、および／または、いくつかの動作と重複し得る。
【０１３８】
さらに、本発明はいくつかの実施形態に関して説明されたが、当業者は、本発明が、説明された実施形態に限定されず、添付の特許請求の範囲の趣旨および範囲内で変更および改変を加えて実施され得ることを認識されよう。したがって、説明は、限定ではなく、例示的と考えられるべきである。他の変更、置換、および改変が、以下の特許請求の範囲によって定義される、本開示の趣旨および範囲から逸脱することなく可能である。
【０１３９】
上記の説明で使用される略語は、以下を含む。
ｅＮＢ  エボルブドノードＢ、基地局
ＵＥ  ユーザ機器
【図１】
2019518360.tif 000004
【図２】
2019518360.tif 000005
【図３】
2019518360.tif 000006
【図４】
2019518360.tif 000007
【図５】
2019518360.tif 000008
【図６】
2019518360.tif 000009
【図７】
2019518360.tif 000010
【図８】
2019518360.tif 000011
【図９】
2019518360.tif 000012
【図１０】
2019518360.tif 000013
【国際調査報告】
2019518360.tif 000014
2019518360.tif 000015
2019518360.tif 000016